(57)【要約】【課題】非軸光学系の特長を十分に活かしながらフォーカシングにおいて品質の高い像を得ることのできるフォーカシング方法を提供する。【解決手段】撮像光学系ＴＬは、複数の光学面と絞りＳＴを有し、複数の光学面のうちの少なくとも１面として偏芯した反射面Ｓ１１を有する。偏芯した反射面Ｓ１１を有する第３プリズムＰ３をフォーカシング群として最も像面側に有し、そのフォーカシング群の平行移動と回転移動により、異なる共役距離に対し、軸上の結像位置と軸上主光線の像面Ｓ１３への入射角度とをほぼ一定に保ちながら、像面Ｓ１３全体の位置をほぼ一定にするためのフォーカシングを行う。【選択図】図１
2008046564.tif 000002
【特許請求の範囲】
【請求項１】
複数の光学面と絞りを有し、前記複数の光学面のうちの少なくとも１面として偏芯した反射面を有する光学系のフォーカシング方法であって、前記光学系が前記偏芯した反射面を少なくとも１面有するプリズム光学素子を少なくとも１つ有し、そのうちの少なくとも１つのプリズム光学素子を含む群をフォーカシング群として最も像面側に有し、そのフォーカシング群の平行移動と回転移動により、異なる共役距離に対し、軸上の結像位置と軸上主光線の像面への入射角度とをほぼ一定に保ちながら、像面全体の位置をほぼ一定にするためのフォーカシングを行うことを特徴とするフォーカシング方法。
【請求項２】
前記フォーカシング群が、前記光学面として偏芯した光学面のみを有するプリズム光学素子、前記光学面として前記偏芯した反射面とその他の光学面とを有するプリズム光学素子、それらの組み合わせ、又はそれらのうちの少なくとも１つと他の光学素子との組み合わせから成ることを特徴とする請求項１記載のフォーカシング方法。
【請求項３】
前記光学系が前記フォーカシング群を最も像面側に複数有し、前記平行移動と回転移動を個々のフォーカシング群について行うことを特徴とする請求項１又は２記載のフォーカシング方法。
【請求項４】
前記フォーカシング群として、軸上入射主光線と軸上射出主光線とが平行でないものを少なくとも１つ有することを特徴とする請求項１〜３のいずれか１項に記載のフォーカシング方法。
【請求項５】
前記光学系が前記フォーカシング群の物体側に固定群を有し、以下の条件式(3A)及び(3B)を満足することを特徴とする請求項１〜４のいずれか１項に記載のフォーカシング方法；
｜[(ＢC11−ＢC21)＋{ＭC212(ＦX21＋S2)}／{(ＦX21＋S2)(ＢX21＋ＦC21)−ＭX212}−{ＭC112(ＦX11＋S1)}／{(ＦX11＋S1)(ＢX11＋ＦC11)−ＭX112}]／ｆx｜≦0.10  …(3A)
｜[(ＢC12−ＢC22)＋{ＭC222(ＦX22＋S2)}／{(ＦX22＋S2)(ＢX22＋ＦC22)−ＭX222}−{ＭC122(ＦX12＋S1)}／{(ＦX12＋S1)(ＢX12＋ＦC12)−ＭX122}]／ｆy｜≦0.10  …(3B)
ただし、任意の２つの撮影距離状態をΘ1，Θ2とし、物体中心から絞り中心を通り像面中心に至る軸上主光線をベースレイとすると、
S1：撮影距離状態Θ1における固定群の最も物体側の面とベースレイとの交点から物面までのベースレイに沿った距離、
S2：撮影距離状態Θ2における固定群の最も物体側の面とベースレイとの交点から物面までのベースレイに沿った距離、
であり、ベースレイ上の原点からベースレイ方向にｚ軸が設定され、そのｚ軸に対して垂直なｘ軸及びｙ軸から成る直交座標系について、
ｆx：ｘ方向の全系の焦点距離、
ｆy：ｙ方向の全系の焦点距離、
であり、
ＦX11＝(Ｆ11)fix，ＦX12＝(Ｆ22)fix
ＭX11＝(Ｍ11)fix，ＭX12＝(Ｍ22)fix
ＢX11＝(Ｂ11)fix，ＢX12＝(Ｂ22)fix
ＦC11＝(Ｆ11)foc_Θ1，ＦC12＝(Ｆ22)foc_Θ1
ＦC21＝(Ｆ11)foc_Θ2，ＦC22＝(Ｆ22)foc_Θ2
ＭC11＝(−Ｍ11)foc_Θ1，ＭC12＝(−Ｍ22)foc_Θ1
ＭC21＝(−Ｍ11)foc_Θ2，ＭC22＝(−Ｍ22)foc_Θ2
ＢC11＝(Ｂ11)foc_Θ1，ＢC12＝(Ｂ22)foc_Θ1
ＢC21＝(Ｂ11)foc_Θ2，ＢC22＝(Ｂ22)foc_Θ2
であり、Ｆ，Ｍ，Ｂは１次特性関数行列であり、添え字１１，２２はその行列の１１成分，２２成分をそれぞれ表し、添え字fix，focは固定群，フォーカシング群の特性関数行列であることをそれぞれ表し、添え字_Θ1，_Θ2は撮影距離状態Θ1，Θ2での特性関数行列であることをそれぞれ表す。
【請求項６】
前記フォーカシング群として、フォーカシング中の少なくとも１つの共役距離状態で以下の条件式(1)を満足するものを少なくとも１つ有することを特徴とする請求項１〜５のいずれか１項に記載のフォーカシング方法；
｜φfoc／φall｜＜5.0  …(1)
ただし、
φfoc：フォーカシング群のパワー、
φall：全系のパワー、
である。
【請求項７】
前記フォーカシング群として、フォーカシング中のパワーが一定でないものを少なくとも１つ有することを特徴とする請求項１〜６のいずれか１項に記載のフォーカシング方法。
【請求項８】
前記偏芯した反射面として、自由曲面から成るものを少なくとも１面有することを特徴とする請求項１〜７のいずれか１項に記載のフォーカシング方法。
【請求項９】
前記フォーカシング群として、フォーカシング中の任意の共役距離状態s1，s2の組み合わせのうちの少なくとも１つで以下の条件式(2)を満足するものを少なくとも１つ有することを特徴とする請求項１〜８のいずれか１項に記載のフォーカシング方法；
｜(φi_s2−φi_s1)／φi_s2×100｜＜25.0  …(2)
ただし、
φi_s1：共役距離状態s1におけるフォーカシング群のパワー、
φi_s2：共役距離状態s2におけるフォーカシング群のパワー、
である。
【請求項１０】
前記光学系を構成する光学素子の少なくとも１つがプラスチック材料から形成されていることを特徴とする請求項１〜９のいずれか１項に記載のフォーカシング方法。
【請求項１１】
前記プラスチック材料がアサーマル樹脂であることを特徴とする請求項１０記載のフォーカシング方法。
【請求項１２】
前記光学系が撮像素子の受光面上に物体の光学像を形成するための撮像光学系であることを特徴とする請求項１〜１１のいずれか１項に記載のフォーカシング方法。
【発明の詳細な説明】
【技術分野】
【０００１】
本発明は光学系のフォーカシング方法に関するものであり、例えば、撮像光学系，投影光学系等、あらゆるタイプの非軸光学系に用いられるフォーカシング方法に関するものである。撮像光学系としては、例えば、画像入力機能付きデジタル機器(例えば携帯電話機)において撮像素子の受光面上に被写体の光学像を形成する光学系が挙げられ、投影光学系としては、例えば、プロジェクターにおいて表示素子の画像をスクリーン上に投影する光学系が挙げられる。
【背景技術】
【０００２】
近年、撮像光学系や投影光学系を小型化するために、偏芯した光学面(例えば非回転対称な曲面形状を有する自由曲面等)を用いて光路を折り曲げる非軸光学系の開発が行われている。非軸光学系で撮像光学系や投影光学系を実用化するためには、撮影距離や投影距離を変化させても良好な結像性能を確保できるフォーカシング方法が必要である。従来より提案されている非軸光学系のフォーカシング方法としては、例えば、特許文献１，２等で提案されているものが挙げられる。特許文献１記載の非軸光学系では、フォーカシング群の軸上入射主光線と軸上射出主光線とが平行になっており、その方向に対して平行にフォーカシング群を平行移動させることによりフォーカシングを実現している。また、特許文献２記載の非軸光学系では、光学系全体の軸上入射主光線と軸上射出主光線とが平行になっており、その方向に対して平行に光学系を平行移動させることによりフォーカシングを実現している。
【０００３】
偏芯した光学レンズを用いた投影光学系のフォーカシング方法については、特許文献３〜５記載のものが挙げられる。特許文献３〜５では、T.Scheimpflugの理論を用いた、物体面と像面の傾きの関係を満たす、台形歪の少ない光学系が提案されている。具体的な数値実施例の記載は無いが、その構成は共軸系レンズが光軸に対し傾いた場合の光学系について成り立っており、傾いた物面に対しT.Scheimpflugの理論が成り立つように共軸系レンズを配置することにより、台形歪の少ない像を得るようにしている。そしてフォーカシングは、T.Scheimpflugの理論が成り立つように、光学レンズ，像面位置，物体面位置を変化させることにより実現している。
【特許文献１】特開平８−２９２３６８号公報
【特許文献２】特開２００５−１３４８３２号公報
【特許文献３】特開平５−８０４１８号公報
【特許文献４】特開平５−１１３６００号公報
【特許文献５】特開平６−１４８５６６号公報
【発明の開示】
【発明が解決しようとする課題】
【０００４】
特許文献１，２で提案されているフォーカシング方法では、フォーカシング群又は全系の軸上入射主光線と軸上射出主光線とが平行になっており、その方向に対して平行にフォーカシング群又は全系を移動させることによりフォーカシングが行われる。非軸光学系における光路の折り曲げは、小型化・薄型化を実現する上で共軸光学系よりも有効である。つまり、光学系や光学素子の軸上入射主光線と軸上射出主光線とを平行にすると、光路を折りたたむことによる小型化や薄型化の効果が薄れてしまい、非軸光学系のメリットを十分に発揮できなくなるのである。
【０００５】
非軸光学系には上記メリットがある一方で、フォーカシング中に像面中心の主光線(つまり軸上主光線)の像面への入射角度が変動するおそれがある。特に軸上主光線の入射が像面に対して垂直から大きく変化すると、その位置での光量の偏りが生じ、非対称な明るさ分布となって像に明るさムラが生じる。その結果、像の明るさムラが発生し、特にフォーカシングに伴ってそのムラが変化するためきれいな像が得られず、実用的なものとは言えなくなる。
【０００６】
特許文献３〜５で提案されているフォーカシング方法は、偏芯した反射面を用いた、偏芯のより大きな非軸光学系の場合、適用が困難である。そのような非軸光学系には、T.Scheimpflugの理論が適用できないからである。T.Scheimpflugの理論を適用するためには、１本の直線から成る光軸が必要であるが、非軸光学系にはそのような軸は通常存在しない。したがって、特許文献３〜５で提案されているフォーカシング方法をフォーカシングに適用しようとしても、光路を折り曲げたような積極的な非軸光学系のフォーカシングを行うことは不可能である。
【０００７】
本発明はこのような状況に鑑みてなされたものであって、その目的は、非軸光学系の特長を十分に活かしながらフォーカシングにおいて品質の高い像を得ることのできるフォーカシング方法を提供することにある。
【課題を解決するための手段】
【０００８】
上記目的を達成するために、第１の発明のフォーカシング方法は、複数の光学面と絞りを有し、前記複数の光学面のうちの少なくとも１面として偏芯した反射面を有する光学系のフォーカシング方法であって、前記光学系が前記偏芯した反射面を少なくとも１面有するプリズム光学素子を少なくとも１つ有し、そのうちの少なくとも１つのプリズム光学素子を含む群をフォーカシング群として最も像面側に有し、そのフォーカシング群の平行移動と回転移動により、異なる共役距離に対し、軸上の結像位置と軸上主光線の像面への入射角度とをほぼ一定に保ちながら、像面全体の位置をほぼ一定にするためのフォーカシングを行うことを特徴とする。
【０００９】
第２の発明のフォーカシング方法は、上記第１の発明において、前記フォーカシング群が、前記光学面として偏芯した光学面のみを有するプリズム光学素子、前記光学面として前記偏芯した反射面とその他の光学面とを有するプリズム光学素子、それらの組み合わせ、又はそれらのうちの少なくとも１つと他の光学素子との組み合わせから成ることを特徴とする。
【００１０】
第３の発明のフォーカシング方法は、上記第１又は第２の発明において、前記光学系が前記フォーカシング群を最も像面側に複数有し、前記平行移動と回転移動を個々のフォーカシング群について行うことを特徴とする。
【００１１】
第４の発明のフォーカシング方法は、上記第１〜第３のいずれか１つの発明において、前記フォーカシング群として、軸上入射主光線と軸上射出主光線とが平行でないものを少なくとも１つ有することを特徴とする。
【００１２】
第５の発明のフォーカシング方法は、上記第１〜第４のいずれか１つの発明において、前記光学系が前記フォーカシング群の物体側に固定群を有し、以下の条件式(3A)及び(3B)を満足することを特徴とする。
｜[(ＢC11−ＢC21)＋{ＭC212(ＦX21＋S2)}／{(ＦX21＋S2)(ＢX21＋ＦC21)−ＭX212}−{ＭC112(ＦX11＋S1)}／{(ＦX11＋S1)(ＢX11＋ＦC11)−ＭX112}]／ｆx｜≦0.10  …(3A)
｜[(ＢC12−ＢC22)＋{ＭC222(ＦX22＋S2)}／{(ＦX22＋S2)(ＢX22＋ＦC22)−ＭX222}−{ＭC122(ＦX12＋S1)}／{(ＦX12＋S1)(ＢX12＋ＦC12)−ＭX122}]／ｆy｜≦0.10  …(3B)
ただし、任意の２つの撮影距離状態をΘ1，Θ2とし、物体中心から絞り中心を通り像面中心に至る軸上主光線をベースレイとすると、
S1：撮影距離状態Θ1における固定群の最も物体側の面とベースレイとの交点から物面までのベースレイに沿った距離、
S2：撮影距離状態Θ2における固定群の最も物体側の面とベースレイとの交点から物面までのベースレイに沿った距離、
であり、ベースレイ上の原点からベースレイ方向にｚ軸が設定され、そのｚ軸に対して垂直なｘ軸及びｙ軸から成る直交座標系について、
ｆx：ｘ方向の全系の焦点距離、
ｆy：ｙ方向の全系の焦点距離、
であり、
ＦX11＝(Ｆ11)fix，ＦX12＝(Ｆ22)fix
ＭX11＝(Ｍ11)fix，ＭX12＝(Ｍ22)fix
ＢX11＝(Ｂ11)fix，ＢX12＝(Ｂ22)fix
ＦC11＝(Ｆ11)foc_Θ1，ＦC12＝(Ｆ22)foc_Θ1
ＦC21＝(Ｆ11)foc_Θ2，ＦC22＝(Ｆ22)foc_Θ2
ＭC11＝(−Ｍ11)foc_Θ1，ＭC12＝(−Ｍ22)foc_Θ1
ＭC21＝(−Ｍ11)foc_Θ2，ＭC22＝(−Ｍ22)foc_Θ2
ＢC11＝(Ｂ11)foc_Θ1，ＢC12＝(Ｂ22)foc_Θ1
ＢC21＝(Ｂ11)foc_Θ2，ＢC22＝(Ｂ22)foc_Θ2
であり、Ｆ，Ｍ，Ｂは１次特性関数行列であり、添え字１１，２２はその行列の１１成分，２２成分をそれぞれ表し、添え字fix，focは固定群，フォーカシング群の特性関数行列であることをそれぞれ表し、添え字_Θ1，_Θ2は撮影距離状態Θ1，Θ2での特性関数行列であることをそれぞれ表す。
【００１３】
第６の発明のフォーカシング方法は、上記第１〜第５のいずれか１つの発明において、前記フォーカシング群として、フォーカシング中の少なくとも１つの共役距離状態で以下の条件式(1)を満足するものを少なくとも１つ有することを特徴とする。
｜φfoc／φall｜＜5.0  …(1)
ただし、
φfoc：フォーカシング群のパワー、
φall：全系のパワー、
である。
【００１４】
第７の発明のフォーカシング方法は、上記第１〜第６のいずれか１つの発明において、前記フォーカシング群として、フォーカシング中のパワーが一定でないものを少なくとも１つ有することを特徴とする。
【００１５】
第８の発明のフォーカシング方法は、上記第１〜第７のいずれか１つの発明において、前記偏芯した反射面として、自由曲面から成るものを少なくとも１面有することを特徴とする。
【００１６】
第９の発明のフォーカシング方法は、上記第１〜第８のいずれか１つの発明において、前記フォーカシング群として、フォーカシング中の任意の共役距離状態s1，s2の組み合わせのうちの少なくとも１つで以下の条件式(2)を満足するものを少なくとも１つ有することを特徴とする。
｜(φi_s2−φi_s1)／φi_s2×100｜＜25.0  …(2)
ただし、
φi_s1：共役距離状態s1におけるフォーカシング群のパワー、
φi_s2：共役距離状態s2におけるフォーカシング群のパワー、
である。
【００１７】
第１０の発明のフォーカシング方法は、上記第１〜第９のいずれか１つの発明において、前記光学系を構成する光学素子の少なくとも１つがプラスチック材料から形成されていることを特徴とする。
【００１８】
第１１の発明のフォーカシング方法は、上記第１０の発明において、前記プラスチック材料がアサーマル樹脂であることを特徴とする。
【００１９】
第１２の発明のフォーカシング方法は、上記第１〜第１１のいずれか１つの発明において、前記光学系が撮像素子の受光面上に物体の光学像を形成するための撮像光学系であることを特徴とする。
【発明の効果】
【００２０】
本発明によれば、偏芯した反射面を少なくとも１面有するプリズム光学素子を含む群をフォーカシング群として最も像面側に有し、そのフォーカシング群の平行移動と回転移動により、異なる共役距離に対し、軸上の結像位置と軸上主光線の像面への入射角度とをほぼ一定に保ちながら、像面全体の位置をほぼ一定にするためのフォーカシングを行う構成になっているので、非軸光学系の特長を十分に活かしながらフォーカシングにおいて品質の高い像を得ることができる。
【発明を実施するための最良の形態】
【００２１】
以下、本発明に係るフォーカシング方法の実施の形態を、図面を参照しつつ説明する。図１及び図２に、第１の実施の形態のフォーカシング方法を採用した撮像光学系ＴＬの光学構成を光学断面で示し、図１５及び図１６に、第２の実施の形態のフォーカシング方法を採用した撮像光学系ＴＬの光学構成を光学断面で示す。図２，図１６中、(Ａ)は第１フォーカスポジションＰＯＳ１、(Ｂ)は第４フォーカスポジションＰＯＳ４、(Ｃ)は第６フォーカスポジションＰＯＳ６での光学配置，光路等をそれぞれ示している。また図１，図１５中、Ｓｉ(ｉ＝１，２，３，．．．)が付された面は物体側から数えてｉ番目の面であり、Ｓｉに＊印が付された面は自由曲面であり、第１面Ｓ１は後述する各面頂点位置を表すためのダミー面(基準面)である。
【００２２】
各実施の形態に係る撮像光学系ＴＬはいずれも、撮像素子{例えば、ＣＣＤ(Charge Coupled Device)等の固体撮像素子}ＳＲの受光面上に物体(すなわち被写体)の光学像を形成するための単焦点光学系であり、物体側から順に、第１プリズムＰ１と、第２プリズムＰ２と、フォーカシング群である第３プリズムＰ３と、の３つのプリズム光学素子から成っている。以下に、第１，第２の実施の形態の光学構成を光路順に説明する。
【００２３】
第１の実施の形態(図１)において、撮像光学系ＴＬの最も物体側の面である第２面Ｓ２は、第１プリズムＰ１の入射面である。その第２面Ｓ２から撮像光学系ＴＬに入射してきた光線は、反射面である第３面Ｓ３(第１反射面)で反射されて第４面Ｓ４に向かう。第４面Ｓ４は全反射面(第２反射面)であり、第４面Ｓ４で反射された光線は第５面Ｓ５を透過する。第５面Ｓ５は第１プリズムＰ１の射出面であり、第５面Ｓ５から第１プリズムＰ１を射出した光線は、絞りＳＴの第６面Ｓ６に向かう。第６面Ｓ６の絞りＳＴを通過した光線は、第２プリズムＰ２に向かう。第２プリズムＰ２の最も物体側の面である第７面Ｓ７は、第２プリズムＰ２の入射面である。その第７面Ｓ７から第２プリズムＰ２に入射してきた光線は、反射面である第８面Ｓ８(第３反射面)で反射されて第９面Ｓ９に向かう。第９面Ｓ９は第２プリズムＰ２の射出面であり、第９面Ｓ９から第２プリズムＰ２を射出した光線は、第３プリズムＰ３の第１０面Ｓ１０に入射する。第１０面Ｓ１０は第３プリズムＰ３の入射面であり、その第１０面Ｓ１０から第３プリズムＰ３に入射してきた光線は、反射面である第１１面Ｓ１１(第４反射面)で反射された後、第１２面Ｓ１２を透過する。第１２面Ｓ１２は第３プリズムＰ３の射出面であり、第１２面Ｓ１２から第３プリズムＰ３を射出した光線は、撮像素子ＳＲの受光面Ｓ１３上で被写体の光学像を形成する。
【００２４】
第２の実施の形態(図１５)において、撮像光学系ＴＬの最も物体側の面である第２面Ｓ２は、第１プリズムＰ１の入射面である。その第２面Ｓ２から撮像光学系ＴＬに入射してきた光線は、反射面である第３面Ｓ３(第１反射面)で反射されて第４面Ｓ４に向かう。第４面Ｓ４は全反射面(第２反射面)であり、第４面Ｓ４で反射された光線は第５面Ｓ５を透過する。第５面Ｓ５は第１プリズムＰ１の射出面であり、第５面Ｓ５から第１プリズムＰ１を射出した光線は、第２プリズムＰ２に向かう。第２プリズムＰ２の最も物体側の面である第６面Ｓ６は、第２プリズムＰ２の入射面であり、絞りＳＴを兼ねている。その第６面Ｓ６から第２プリズムＰ２に入射してきた光線は、反射面である第７面Ｓ７(第３反射面)で反射されて第８面Ｓ８に向かう。第８面Ｓ８は第２プリズムＰ２の射出面であり、第８面Ｓ８から第２プリズムＰ２を射出した光線は、第３プリズムＰ３の第９面Ｓ９に入射する。第９面Ｓ９は第３プリズムＰ３の入射面であり、その第９面Ｓ９から第３プリズムＰ３に入射してきた光線は、反射面である第１０面Ｓ１０(第４反射面)で反射された後、第１１面Ｓ１１を透過する。第１１面Ｓ１１は第３プリズムＰ３の射出面であり、第１１面Ｓ１１から第３プリズムＰ３を射出した光線は、撮像素子ＳＲの受光面Ｓ１２上で被写体の光学像を形成する。
【００２５】
上述したように、各実施の形態において第３プリズムＰ３を射出した光線は、像面(図１中の第１３面Ｓ１３，図１５中の第１２面Ｓ１２)に相当する撮像素子ＳＲの受光面に到達して、撮像素子ＳＲの受光面上に被写体の光学像を形成する。形成された光学像は、撮像素子ＳＲによって電気的な信号に変換される。ここでいう「撮像素子」とは、受光面が平面の２次元的なものである。２次元的な撮像素子は、水平方向と垂直方向に広がりを持つため、用いる撮像光学系も複雑であり、性能を劣化させる収差も複雑である。その補正のためには、各実施の形態のように、自由曲面等の回転非対称な面を適切に設定して用いるのが好ましい。
【００２６】
第１の実施の形態の撮像光学系ＴＬは、複数の光学面Ｓ２〜Ｓ１２と絞りＳＴを有しており、偏芯した反射面として第１１面Ｓ１１を第３プリズムＰ３に有している。また、第２の実施の形態の撮像光学系ＴＬは、複数の光学面Ｓ２〜Ｓ１１と絞りＳＴを有しており、偏芯した反射面として第１０面Ｓ１０を第３プリズムＰ３に有している。第１，第２の実施の形態において、像面全体の位置をほぼ一定にするためのフォーカシングは、第３プリズムＰ３をフォーカシング群として、その平行移動と回転移動により、軸上の結像位置と軸上主光線の像面への入射角度とをほぼ一定に保ちながら行われる。このように、偏芯した反射面を少なくとも１面有する群をフォーカシング群として、そのフォーカシング群の平行移動と回転移動により、軸上の結像位置をほぼ一定に保ちながら、像面全体の位置をほぼ一定にするためのフォーカシングを行うフォーカシング方法は、複数の光学面と絞りを有し、その複数の光学面のうちの少なくとも１面として偏芯した反射面を有する光学系であれば適用可能であり、各実施の形態に係る光学系への適用に限るものではない。以下に、その特徴的な構成、作用効果等を説明する。
【００２７】
一般に、光学系を薄型にするには、偏芯した反射面で光路を折り曲げて配置するのが有効である。そのような配置にすることにより、共軸光学系よりもはるかに厚みの薄い光学系を実現することができる。また、光学系を実用化するには、フォーカシング機能が必要である。フォーカシング機能とは、異なる共役距離においても結像性能が保たれているようにすることである。そのためには、異なる共役距離においても、像面がほぼ一定に保たれ、さらには軸上の結像位置がずれない必要がある。共軸光学系では、一般に、光学系全体や光学系の一部のフォーカシングブロックを光軸上で光軸に対し平行に移動させることにより、フォーカシングが行われる。
【００２８】
以下、撮像光学系を例に挙げて、その撮影距離が異なる場合、つまり物面位置が異なる場合のフォーカシング方法を説明する。共軸光学系の場合、通常、直線で表される光軸が存在し、その光軸は軸上主光線と一致する。フォーカシングに際して移動するフォーカシングブロック(すなわちフォーカシング群)は、光軸上をその光軸に対して平行に移動することによりフォーカシングを行う。つまり、フォーカシング群はフォーカシングに際し、それに入射する軸上主光線(すなわち軸上入射主光線)と、そこから射出する軸上主光線(すなわち軸上射出主光線)と、に対して平行な方向に移動する。
【００２９】
ここで、共軸光学系における全体繰り出しのフォーカシング方法を考える。撮影距離Ｓ１と撮影距離Ｓ２が異なる場合、撮影距離Ｓ１のときの像点と撮影距離Ｓ２のときの像点も光軸上の異なる位置に形成される。その異なる像点位置を合わせるために、全系を光軸に沿って移動させるのが、全体繰り出しのフォーカシング方法である。
【００３０】
次に、共軸光学系におけるインナーフォーカス、特に像面側の一部の光学素子を移動させることによりフォーカスする方法(いわゆるリアフォーカス)を考える。全体繰り出しのフォーカシング方法と同様に、撮影距離Ｓ１，Ｓ２の２つの状態を考える。このとき、図２９に示すように、フォーカシングで移動する光学面や光学素子の固まり(ブロック)をフォーカシング群ＧｒＢとし、フォーカシングで移動しない光学面や光学素子の固まり(ブロック)を固定群ＧｒＡとする。リアフォーカスの場合、固定群ＧｒＡは物体側にあり、フォーカシング群ＧｒＢは像側にある。
【００３１】
図２９において、FF_fixは固定群ＧｒＡの前側焦点位置、FB_fixは固定群ＧｒＡの後側焦点位置、FF_focはフォーカシング群ＧｒＢの前側焦点位置、FB_focはフォーカシング群ＧｒＢの後側焦点位置である。X_fixは固定群ＧｒＡの前側焦点位置FF_fixから物体面ＯＢまでの距離、X'_fixは固定群ＧｒＡの後側焦点位置FB_fixから固定群ＧｒＡの像点までの距離、X_focはフォーカシング群ＧｒＢの前側焦点位置FF_focからフォーカシング群ＧｒＢの物点までの距離、X'_focは、フォーカシング群ＧｒＢの後側焦点位置FB_focからフォーカシング群ＧｒＢの像点ＩＭまでの距離である。H_Aは、固定群ＧｒＡの前側焦点位置FF_fixから後側焦点位置FB_fixまでの距離、H_Bは、フォーカシング群ＧｒＢの前側焦点位置FF_focから後側焦点位置FB_focまでの距離である。ここで便宜上、固定群ＧｒＡの前側焦点位置FF_fixから物体面ＯＢまでの距離を撮影距離Ｓ１，Ｓ２とする。
【００３２】
固定群ＧｒＡの結像関係から以下の関係式(J1)が成り立つ。また、フォーカシング群ＧｒＢの結像関係から以下の関係式(J2)が成り立つ。
(X_fix)(X'_fix)＝−(f'_fix)2  …(J1)
(X_foc)(X'_foc)＝−(f'_foc)2  …(J2)
ただし、
f'_fix：固定群ＧｒＡの焦点距離、
f'_foc：フォーカシング群ＧｒＢの焦点距離、
である。
【００３３】
２つの撮影距離Ｓ１，Ｓ２で像面ＩＭの位置が一定になるようにするためには、固定群ＧｒＡの像点位置とフォーカシング群ＧｒＢの物点位置とを一致させたときに、以下の式(J3)が成り立つようにフォーカシング群ＧｒＢを移動させればよい。つまり、固定群ＧｒＡによる像点位置をフォーカシング群ＧｒＢの物点位置とした場合のフォーカシング群ＧｒＢの像点位置が、異なる撮影距離Ｓ１，Ｓ２で一致するように、フォーカシング群ＧｒＢを移動させればよい。したがって、以下の式(J3)が成り立てば、異なる撮影距離においても像面は一定となる。
(X'_fix)S1−(X_foc)S1＋(X'_foc)S1＝(X'_fix)S2−(X_foc)S2＋(X'_foc)S2  …(J3)
ただし、式(J3)中、撮影距離Ｓ１でのパラメータに添え字Ｓ１を付して示し、撮影距離Ｓ２でのパラメータに添え字Ｓ２を付して示す。
【００３４】
次に、非軸光学系の場合を考える。ここでは、非軸光学系の場合の本発明に係るフォーカシング方法を、撮像光学系を例に挙げて具体的に説明する。このフォーカシング方法は、撮像光学系だけでなく、投影光学系等、あらゆる光学系に適用することのできるリアフォーカシング方法である。
【００３５】
ここでの説明には、ハミルトン光学の特性関数を用い、特に、論文「B.D.Stone and G.W.Forbes, "Foundations of first-order layout for asymmetric systems : an application of Hamilton's methods" J.Opt.Soc.Am.A 9,96-109(1992)」で導入された１次特性関数行列を用いる。そして、１次特性関数行列はangle特性関数行列とする。また、図３０に示すように、前群に固定群ＧｒＡ、後群にフォーカシング群ＧｒＢが配置された非軸光学系を考える。ただし、群を構成するものとしては、単独の光学面、複数の光学面、単独の光学素子、複数の光学素子、のいずれでもよく、フォーカシング中に一体で移動させる集まり、又は、独立して移動する集まりがフォーカシング群である。
【００３６】
非軸光学系の場合、一般に共軸光学系が持つような直線から成る光軸は存在しない。そのため、光軸の代わりに基準となる光線を考える。その光線は、物体中心から絞り中心を通り像面中心に至る光線とする。これは軸上光線の主光線であり、これを「ベースレイ」と呼ぶ。この光線を基準とするが、この光線は共軸光学系の場合のような直線ではない。非軸光学系の場合も、フォーカシング群を移動させることにより結像関係を満たすよう、フォーカシングが行われる。しかしながら、ベースレイが直線でないため、光学系全体や光学系の一部を単純に平行移動させた場合、通常、ベースレイは移動してしまう。具体的には、図３０に示すフォーカシング群ＧｒＢが平行移動すると、フォーカシング群ＧｒＢへのベースレイＢＲの入射位置が変わり、ベースレイＢＲの通過位置・射出位置と方向が変わることになる。この場合、像面ＩＭへ向かうベースレイＢＲの方向が変わるため、像面ＩＭでのベースレイＢＲの位置、つまり軸上の結像位置が移動してしまう。このような現象が起こると、フォーカシング中に軸上位置(中心位置)が移動してしまい、像がフォーカシング中に動いたり、ふらふらしたりしてしまう。さらに、中心がずれるため、像の周辺に欠ける部分が生じてしまう。いずれにしても実用性はなくなる。
【００３７】
平行移動だけでは軸上射出主光線を一定にできないことを、偏芯した反射面を持つ三角プリズムＰＲ(図３０中のフォーカシング群ＧｒＢ)を例に挙げて説明する。図３１(Ａ)は、ある撮影距離状態で三角プリズムＰＲを通過するベースレイＢＲの様子を示している。この三角プリズムＰＲを軸上入射光線(ベースレイＢＲ)方向に平行移動させた場合、そのベースレイＢＲの通過する様子を描いたのが図３１(Ｂ)である(移動後の位置を破線で示す。)。図３１(Ｂ)から分かるように、軸上射出主光線(ベースレイＢＲ)は元の光線位置(実線)からずれている。また、三角プリズムＰＲを軸上射出主光線(ベースレイＢＲ)方向に平行移動させた場合、そのベースレイＢＲの通過する様子を描いたのが図３１(Ｃ)である(移動後の位置を破線で示す。)。この場合も、軸上射出主光線(ベースレイＢＲ)が元の光線位置(実線)からずれていることが分かる。
【００３８】
上記のように、三角プリズムＰＲを平行移動させると、いずれの場合も軸上射出主光線がずれてしまう。ただし、フォーカシング群の軸上入射主光線と軸上射出主光線とが平行で、その方向に移動させた場合には、このような現象は生じない。しかしながら、そのような配置は非軸光学系では特別の場合であることが多い。また、そのような配置にすると、光路の折りたたみ効果が少なくなり、大きなスペースが必要となるため、非軸光学系のメリットを十分に活かせなくなる。そして、そのような設計制約が発生する結果として、設計での自由度が少なくなってしまう。
【００３９】
上記課題を解決するには、フォーカシング群のフォーカス移動として平行移動と回転移動を行うのが好ましい。平行移動と回転移動を行うことにより、ベースレイの各面への入射角度及び入射位置を変えることができる。各面の位置，形状及び移動を適切に設定することにより、フォーカシング群の最終面から射出するベースレイを、他のフォーカスポジション(つまり撮影距離状態)でのベースレイとほぼ一致させることができる。特に、偏芯した反射面があると、そのような配置をとることが容易に可能となる。これを全てのフォーカシング群の個々に要求する必要はない。移動させる群のうち、最後の群から射出するベースレイが一致するように、フォーカシング群を個々に平行移動及び回転移動させればよい。フォーカシング群のなかには、平行移動のみの群や回転移動のみの群が含まれていても構わない。また、フォーカシング群間ではベースレイが移動しても構わない。
【００４０】
図３２に、先の三角プリズムＰＲの平行移動及び回転移動を行った場合を例として示す。三角プリズムＰＲの平行移動及び回転移動を行うと、以下のようにベースレイＢＲが変動する(図３２中、移動後の三角プリズムＰＲとベースレイＢＲの位置を破線で示す。)。まず、三角プリズムＰＲの第１面ｓ１(入射面)とベースレイＢＲとの交点が移動し、さらには第１面ｓ１に対するベースレイＢＲの入射角度が変化する。したがって、この第１面ｓ１から射出するベースレイＢＲの方向が変化する。三角プリズムＰＲの移動前後で、第１面ｓ１からの射出ベースレイＢＲの位置と方向が異なるため、第２面ｓ２(反射面)とベースレイＢＲとの交点位置も異なる。さらには、第２面ｓ２への入射角度が異なるため第２面ｓ２での反射角度も異なる。第２面ｓ２を射出するベースレイＢＲは位置と方向が異なるため、ベースレイＢＲと第３面ｓ３(射出面)との交点位置を変えることが可能である。
【００４１】
第２面ｓ２を射出したベースレイＢＲの位置と方向が異なるため、第３面Ｓ３とベースレイＢＲとの交点位置が変化し、また、第３面Ｓ３への入射角度が異なるため、第３面Ｓ３からの射出角度も変化する。このとき、第３面Ｓ３とベースレイＢＲとの交点を、元の三角プリズムＰＲ位置の射出ベースレイＢＲ上に乗るようにし、その射出方向を元の射出ベースレイＢＲと同じ方向にすれば、射出光線としてのベースレイＢＲは移動しない。このようにするためには、三角プリズムＰＲの平行移動と回転移動が必要であり、その移動により、各面とベースレイＢＲとの交点、及び各面に対する入射角度を変化させることが可能となり、射出ベースレイＢＲを一定とすることが可能となる。ここでは、三角プリズムの移動によるフォーカシング方法を例示したが、単独の偏芯した光学面や複数の光学面を持つ光学素子の移動によるフォーカシング方法においても同様であり、平行移動と回転移動により射出ベースレイを一定にすることが可能となる。
【００４２】
なお、非軸光学系のフォーカシングにおいても必要な条件は次の２つである。すなわち、異なる共役距離において、フォーカシングにより、(i)像面位置(一次結像位置)がほぼ一定となること、(ii)軸上主光線の像面での位置と方向がほぼ一定となること、である。条件(i)は、異なる共役距離(撮像光学系では異なる撮影距離)でも、像面が一定位置にあることを意味する。撮影距離によって像位置が動くと、結像性能が著しく低下してしまうため、実用的でない。条件(ii)については、軸上光線の位置や像面への入射角度が、フォーカシングでほとんど変化しないことを意味する。軸上光線がフォーカシングで移動すると、像位置や範囲が変動してしまうため、実用的でない。また、光線の入射角度が変動すると、明るさが変化してしまうため、実用的でない。従来のようにフォーカシング群を単純に平行移動させるだけでは条件(i),(ii)を満たすことはできない。２つの条件(i),(ii)を満たすためには、平行移動と回転を行う必要がある。
【００４３】
図３０に戻って、非軸光学系において好ましいフォーカシング方法を更に詳しく検討する。まず、各群ＧｒＡ，ＧｒＢに関する座標系を次のように導入する。固定群ＧｒＡの前側座標系をO_fixとし、固定群ＧｒＡの後側座標系をOd_fixとする。フォーカシング群ＧｒＢの前側座標系をO_focとし、後側座標系をOd_focとする。各座標系の原点をベースレイＢＲ上にとり、ベースレイＢＲ方向にｚ軸を設定する。ベースレイＢＲに対し垂直なｘ軸を、紙面の手前から向こう側へ向かう方向に設定する。ｚ軸とｘ軸で右手系を成す方向にｙ軸(ｙ軸は紙面内にある。)を設定する。また、固定群ＧｒＡの後側座標系Od_fixとフォーカシング群ＧｒＢの前側座標系O_focとを一致させておく。なお、説明を簡単にするため非軸光学系はｙ−ｚ面対称とする。
【００４４】
任意の２つの撮影距離状態をΘ1，Θ2とし、固定群ＧｒＡから物面までのベースレイＢＲに沿った距離をそれぞれS1，S2とする。つまり、
S1：撮影距離状態Θ1における固定群の最も物体側の面とベースレイとの交点から物面までのベースレイに沿った距離、
S2：撮影距離状態Θ2における固定群の最も物体側の面とベースレイとの交点から物面までのベースレイに沿った距離、
である。
【００４５】
また、固定群ＧｒＡの前側焦点位置から物面までのベースレイに沿った距離を、ｘ方向，ｙ方向にそれぞれｘfix，ｙfixとし、固定群ＧｒＡの後側焦点位置から固定群ＧｒＡによる１次結像点までのベースレイＢＲに沿った距離を、ｘ’fix，ｙ’fixとする。そうすると、固定群ＧｒＡの結像関係から以下の式(J4),(J5)が成り立つ。
ｘ方向：(ｘfix)(ｘ’fix)＝−(−Ｍ11)fix2  …(J4)
ｙ方向：(ｙfix)(ｙ’fix)＝−(−Ｍ22)fix2  …(J5)
ただし、各撮影距離状態Θ1，Θ2について、
(ｘfix)_Θ1＝S1＋(Ｆ11)fix
(ｙfix)_Θ1＝S1＋(Ｆ22)fix
(ｘfix)_Θ2＝S2＋(Ｆ11)fix
(ｙfix)_Θ2＝S2＋(Ｆ22)fix
であり、Ｆ，Ｍ，Ｂは１次特性関数行列であり、添え字１１，２２はその行列の１１成分，２２成分をそれぞれ表し、添え字fixは固定群ＧｒＡの特性関数行列であることを表す。
【００４６】
次に、フォーカシング群ＧｒＢに着目する。まず、座標系Od_fixとO_focの原点を一致させる。さらに、座標系Od_focの原点を撮影距離Θ1と撮影距離Θ2とで一致させる。座標系Od_focの原点は軸上射出主光線上に設定されているため、フォーカシング群ＧｒＢへの軸上入射主光線とフォーカシング群ＧｒＢからの軸上射出主光線とが平行でない場合、単純に平行移動させるだけでは、座標系Od_focの原点は異なる撮影距離で一致しない。座標系Od_focの原点を異なる撮影距離Θ1，Θ2で一致させるには、フォーカシング群ＧｒＢを、単純な平行移動だけではなく、さらに回転させる必要がある。それにより、異なる撮影距離においても、軸上射出光線をほぼ一定にすることができる。つまり、偏芯した反射面の平行移動と回転移動により、異なる撮影距離での光路を変えて、軸上射出光線をほぼ一定にすることができる。
【００４７】
座標系Od_focの原点が、異なる撮影距離において一致しているとき、固定群ＧｒＡの１次結像点をフォーカシング群ＧｒＢの物面とした場合のフォーカシング群ＧｒＢの１次結像点は、全系の１次結像点でもある。座標系Od_focでの１次結像点については、フォーカシング群ＧｒＢの結像関係から以下の式(J6),(J7)が成り立つ。
ｘ方向：(ｘfoc)(ｘ’foc)＝−(−Ｍ11)foc2  …(J6)
ｙ方向：(ｙfoc)(ｙ’foc)＝−(−Ｍ22)foc2  …(J7)
ただし、
ｘ方向：(ｘfoc)＝(Ｂ11)fix＋(ｘ’fix)＋(Ｆ11)foc
ｙ方向：(ｙfoc)＝(Ｂ22)fix＋(ｙ’fix)＋(Ｆ22)foc
であり、(Ｆ11)foc，(Ｆ22)foc，(Ｍ11)foc，(Ｍ22)focはフォーカシング群ＧｒＢの１次特性関数行列であり、添え字１１，２２はその行列の１１成分，２２成分をそれぞれ表し、添え字focはフォーカシング群ＧｒＢの特性関数行列であることを表す。
【００４８】
また、フォーカシング群ＧｒＢの１次結像点、すなわち全系の結像点の位置を、フォーカシング群ＧｒＢの後側座標系Od_focの原点から、ｘ方向，ｙ方向にそれぞれfbx，fbyとすると、次のように式(J8),(J9)で表される。
ｘ方向：(fbx)＝(Ｂ11)foc＋(ｘ’foc)  …(J8)
ｙ方向：(fby)＝(Ｂ22)foc＋(ｙ’foc)  …(J9)
【００４９】
したがって、撮影距離Θ1でのフォーカシング群ＧｒＢの１次結像点の位置は、以下の式(J10),(J11)で表される。
ｘ方向：
(fbx)_Θ1＝ＢC11＋{−ＭC112(ＦX11＋S1)}／{(ＦX11＋S1)(ＢX11＋ＦC11)−ＭX112}  …(J10)
ｙ方向：
(fby)_Θ1＝ＢC12＋{−ＭC122(ＦX12＋S1)}／{(ＦX12＋S1)(ＢX12＋ＦC12)−ＭX122}  …(J11)
【００５０】
また、撮影距離Θ2でのフォーカシング群ＧｒＢの１次結像点の位置は、以下の式(J12),(J13)で表される。
ｘ方向：
(fbx)_Θ2＝ＢC21＋{−ＭC212(ＦX21＋S2)}／{(ＦX21＋S2)(ＢX21＋ＦC21)−ＭX212}  …(J12)
ｙ方向：
(fby)_Θ1＝ＢC22＋{−ＭC222(ＦX22＋S2)}／{(ＦX22＋S2)(ＢX22＋ＦC22)−ＭX222}  …(J13)
【００５１】
ただし、
ＦX11＝(Ｆ11)fix，ＦX12＝(Ｆ22)fix
ＭX11＝(Ｍ11)fix，ＭX12＝(Ｍ22)fix
ＢX11＝(Ｂ11)fix，ＢX12＝(Ｂ22)fix
ＦC11＝(Ｆ11)foc_Θ1，ＦC12＝(Ｆ22)foc_Θ1
ＦC21＝(Ｆ11)foc_Θ2，ＦC22＝(Ｆ22)foc_Θ2
ＭC11＝(−Ｍ11)foc_Θ1，ＭC12＝(−Ｍ22)foc_Θ1
ＭC21＝(−Ｍ11)foc_Θ2，ＭC22＝(−Ｍ22)foc_Θ2
ＢC11＝(Ｂ11)foc_Θ1，ＢC12＝(Ｂ22)foc_Θ1
ＢC21＝(Ｂ11)foc_Θ2，ＢC22＝(Ｂ22)foc_Θ2
である。
【００５２】
撮影距離Θ1と撮影距離Θ2とで１次結像点が等しい必要があるため、以下の式(J14),(J15)が成り立つように、フォーカシング群ＧｒＢを設計して、平行移動と回転移動を行えばよい。
ＢC11＋{−ＭC112(ＦX11＋S1)}／{(ＦX11＋S1)(ＢX11＋ＦC11)−ＭX112}＝ＢC21＋{−ＭC212(ＦX21＋S2)}／{(ＦX21＋S2)(ＢX21＋ＦC21)−ＭX212}  …(J14)
ＢC12＋{−ＭC122(ＦX12＋S1)}／{(ＦX12＋S1)(ＢX12＋ＦC12)−ＭX122}＝ＢC22＋{−ＭC222(ＦX22＋S2)}／{(ＦX22＋S2)(ＢX22＋ＦC22)−ＭX222}  …(J15)
【００５３】
上記式(J14),(J15)を満たすようにすれば、像面全体の位置をほぼ一定とすることが可能となり、非軸光学系においてフォーカシングが可能となる。収差によるベスト像面の変動を考慮すると、上記の式(J14),(J15)は等号で成立する必要はなく、所定の範囲で条件を満たせばよい。例えば、ｘ方向については以下の条件式(3A)を満足することが望ましく、ｙ方向については以下の条件式(3B)を満足することが望ましい。また、条件式(3A)及び(3B)を満足することが更に望ましい。ただし、ｆxはｘ方向の全系の焦点距離、ｆyはｙ方向の全系の焦点距離であり、フォーカシング群ＧｒＢの後側座標系Od_focの原点を、フォーカシング群ＧｒＢの最終光学面の軸上射出光線位置とする。条件式(3A),(3B)の各範囲を外れると、フォーカシングにおいて像面が移動し、良好な像が得られなくなる。
｜[(ＢC11−ＢC21)＋{ＭC212(ＦX21＋S2)}／{(ＦX21＋S2)(ＢX21＋ＦC21)−ＭX212}−{ＭC112(ＦX11＋S1)}／{(ＦX11＋S1)(ＢX11＋ＦC11)−ＭX112}]／ｆx｜≦0.10  …(3A)
｜[(ＢC12−ＢC22)＋{ＭC222(ＦX22＋S2)}／{(ＦX22＋S2)(ＢX22＋ＦC22)−ＭX222}−{ＭC122(ＦX12＋S1)}／{(ＦX12＋S1)(ＢX12＋ＦC12)−ＭX122}]／ｆy｜≦0.10  …(3B)
【００５４】
ｘ方向については以下の条件式(3Aa)満足することが更に望ましく、ｙ方向については以下の条件式(3Ba)を満足することが更に望ましい。これらの条件式(3Aa),(3Ba)は、上記条件式(3A),(3B)が規定している条件範囲のなかでも、上記観点等に基づいた更に好ましい条件範囲を規定している。
｜[(ＢC11−ＢC21)＋{ＭC212(ＦX21＋S2)}／{(ＦX21＋S2)(ＢX21＋ＦC21)−ＭX212}−{ＭC112(ＦX11＋S1)}／{(ＦX11＋S1)(ＢX11＋ＦC11)−ＭX112}]／ｆx｜≦0.02  …(3Aa)
｜[(ＢC12−ＢC22)＋{ＭC222(ＦX22＋S2)}／{(ＦX22＋S2)(ＢX22＋ＦC22)−ＭX222}−{ＭC122(ＦX12＋S1)}／{(ＦX12＋S1)(ＢX12＋ＦC12)−ＭX122}]／ｆy｜≦0.02  …(3Ba)
【００５５】
従来のフォーカシング方法と比べると、非軸光学系に用いる上記フォーカシング方法には大きな利点がある。共軸光学系の場合やフォーカシング群がその軸上入射光線及び軸上射出光線に対し平行方向に移動する非軸光学系の場合、フォーカシング群の焦点距離は一定である。それに対し、フォーカシング群の平行移動と回転移動により非軸光学系のフォーカシングを行うと、軸上光線通過位置を変えることができるため、フォーカシング群の焦点距離を撮影距離により変えることが可能となる。フォーカシング群の焦点距離を変えることにより、フォーカシング群の結像関係のＭ11，Ｍ22の値を変えることが可能となるため、フォーカシング群の移動量を小さくすることが可能となる。これにより、フォーカシング群の移動のためのスペースを小さくすることが可能となり、光学系の厚みをさらに薄く抑えることが可能となる。この点が従来のフォーカシング方法では得られない、本発明の大きな効果である。
【００５６】
フォーカシングのために平行移動・回転移動させる群は、小さいほどその移動にかかるエネルギーが小さくて済む。また、それによりフォーカシングの精度も向上する。光学系において、物体面に近い部分は有効径が大きくなるため、フォーカス移動させるのには適していない。それに比べて像面に近い光学素子の有効径は小さくなるため、体積・重量が小さくなって、フォーカス移動させやすくなる。したがって、リアフォーカス方式が有利と言える。
【００５７】
非軸光学系のＭの係数は、透過面の場合、以下の式(J16),(J17)で表される。また、反射面の場合、非軸光学系のＭの係数は、以下の式(J18),(J19)で表される。
Ｍ11＝1／[Ｌ11{ｎcos(θ)−ｎ’cos(θ’)}]  …(J16)
Ｍ22＝{cos(θ)×cos(θ’)}／[Ｌ22{ｎcos(θ)−ｎ’cos(θ’)}]  …(J17)
Ｍ11＝1／{2Ｌ11・ｎcos(θ)}  …(J18)
Ｍ22＝{cos(θ)}2／{2Ｌ22・ｎcos(θ)}  …(J19)
ここで、Ｌ11、Ｌ22は各方向の面の曲率、θは入射角度、θ’は射出角度、ｎは入射前の媒質の屈折率、ｎ’は射出後の媒質の屈折率である。
【００５８】
上記式(J16)〜(J19)から分かるように、面の曲率が同じでも、反射面を用いた場合の方が２〜４倍、パワーを強くすることができる。非軸光学系のような偏芯した反射面の場合は、共軸光学系と異なり、入射角度θが面のパワーに影響を及ぼす。このθの変動の影響は、cos(θ)について、屈折面に対し反射面の方が２〜４倍、パワーを変化させることができる。つまり、偏芯した反射面を回転させることにより、ベースレイの入射角度θを変化させた場合、屈折系よりも、より大きくパワーを変化させることが可能となる。よって、このような面をフォーカシング群として採用することにより、フォーカシング群のパワーを大きく変えることが可能となるため、フォーカシングによる移動量を大幅に減らすことが可能となる。これにより、よりコンパクトな光学系の実現が可能となる。したがって、偏芯した反射面を含む光学面群、又は偏芯した反射面を含む光学素子群をフォーカシング群とし、フォーカシングに回転移動を用いることが、以上のことから望ましいといえる。
【００５９】
図３０等で示すように、三角プリズムをフォーカシング群として用いることが好ましい。共役距離が変わると光学系で発生する収差も変動するが、色収差の変動を反射面で補正することはできない。したがって、透過面が必要となる。透過面を２面用いれば、互いに色収差を打ち消し合いながら、共役距離の変動による色収差の変動を良好に補正することが可能である。また、このような構成は非常にシンプルであるため、フォーカシング群自体を小さく構成することが可能である。その結果、フォーカシング群の平行移動と回転移動が容易になり、光学系全体の厚みも薄くすることができる。なお、上記の説明では撮像光学系の撮影距離が異なる場合について述べたが、本発明に係るフォーカシング方法は撮像光学系に限らない。投影光学系におけるピント位置の調節にも、本発明に係るフォーカシング方法を適用することができる。
【００６０】
したがって各実施の形態のように、偏芯した反射面を少なくとも１面有するプリズム光学素子を含む群をフォーカシング群として最も像面側に有し、そのフォーカシング群の平行移動と回転移動により、軸上の結像位置をほぼ一定に保ちながら像面全体の位置をほぼ一定にするためのフォーカシングを行う構成は、複数の光学面と絞りを有し、その複数の光学面のうちの少なくとも１面として偏芯した反射面を有する光学系，又はそのフォーカシング方法における適用において一般化が可能である。上記フォーカシング群としては、例えば、光学面として偏芯した光学面のみを有するプリズム光学素子、光学面として偏芯した反射面とその他の光学面とを有するプリズム光学素子、それらの組み合わせ、又はそれらのうちの少なくとも１つと他の光学素子との組み合わせから成るものが挙げられる。前述した各実施の形態のように、光学系が偏芯した反射面を少なくとも１面有するプリズム光学素子を少なくとも１つ有し、そのうちの少なくとも１つのプリズム光学素子を含む群をフォーカシング群として最も像面側に配置してもよく、また、光学系がフォーカシング群を最も像面側に複数有し、平行移動と回転移動を個々のフォーカシング群について行う構成としてもよい。
【００６１】
更に詳しくは、光学面として少なくとも１面の偏芯した反射面をプリズム光学素子に有する光学系，又はそのフォーカシング方法において、以下の(ａ)〜(ｅ)の一体又は個々の平行移動及び回転移動により、軸上の結像位置をほぼ一定に保ちながら像面全体の位置をほぼ一定にするためのフォーカシングを行う構成を有することが望ましい。
(ａ)：少なくとも１面の偏芯した反射面。
(ｂ)：少なくとも１面の偏芯した反射面を含む複数の光学面(偏芯した反射面以外の光学面を含む。)。
(ｃ)：少なくとも１面の偏芯した反射面を有する少なくとも１つの光学素子。
(ｄ)：少なくとも１面の偏芯した反射面を有する光学素子を含む複数の光学素子(偏芯した反射面の無い光学素子を含む。)。
(ｅ)：少なくとも１面の偏芯した反射面を有する光学素子を含む全光学素子(偏芯した反射面の無い光学素子を含む。)。
【００６２】
上記のように、偏芯した反射面を少なくとも１面有するプリズム光学素子を含む群をフォーカシング群として最も像面側に有し、そのフォーカシング群の平行移動と回転移動により、軸上の結像位置をほぼ一定に保ちながら像面全体の位置をほぼ一定にするためのフォーカシングを行う構成によれば、非軸光学系の特長を十分に活かしながらフォーカシングにおいて品質の高い像を得ることができる。この効果に加え、更に高い光学性能等を達成するための条件、その他の好ましい構成等を以下に説明する。
【００６３】
前記フォーカシング群の平行移動と回転移動により、軸上の結像位置と軸上主光線の像面への入射角度とをほぼ一定に保ちながら、像面全体の位置をほぼ一定にするためのフォーカシングを行う構成にすることが望ましい。軸上主光線が像面に対して垂直に入射しないと、像面での明るさが非対称となり、明るさのムラが発生する。そのとき、デフォーカスした位置での像は非対称なボケ像となるため、きれいな像は得られない。フォーカシング中に軸上主光線の像面への入射角度が大きく変化すると、像の明るさムラがフォーカシング中に大きく変化し、実用的でなくなる。このため、フォーカシング中は軸上主光線の像面への入射角度が大きく変化しないことが好ましい。したがって、偏芯した反射面を少なくとも１面有するフォーカシング群の平行移動と回転移動により、軸上の結像位置と軸上主光線の像面への入射角度とをほぼ一定に保ちながら、像面全体の位置をほぼ一定にするためのフォーカシングを行うことが望ましい。
【００６４】
上記観点から、以下の条件式(5)を満足することが望ましい。条件式(5)の条件範囲を外れて入射角度が大きく変化すると、フォーカシング中に像の明るさムラが大きくなりすぎてしまい、実用的でなくなる。
｜θI−θN｜＜5.0°  …(5)
ただし、
θI：無限遠撮影距離状態での軸上主光線の像面への入射角度、
θN：近接撮影距離状態での軸上主光線の像面への入射角度、
である。
【００６５】
以下の条件式(5a)を満足することが望ましく、条件式(5b)を満足することが更に望ましい。
｜θI−θN｜＜3.0°  …(5a)
｜θI−θN｜＜1.0°  …(5b)
これらの条件式(5a),(5b)は、上記条件式(5)が規定している条件範囲のなかでも、上記観点等に基づいた更に好ましい条件範囲を規定している。
【００６６】
ここで、軸上主光線の像面への入射角度をほぼ一定に保つための条件を説明する。共軸光学系の場合は、フォーカシング時にフォーカシング群を光軸に対し平行に移動させても、軸上光線の入射光線と射出光線は光軸上にある。しかしながら、一般の非軸光学系ではフォーカシング群に対する軸上光線のうち入射光線と射出光線とが平行でないと、フォーカシング群の移動により射出光線が移動してしまい、像面位置が移動してしまう。これを防ぐためには、前述したようにフォーカシング群を平行移動させるのに加えて適切に回転移動させることが好ましく、これにより軸上射出光線が一定であるようにすることができる。
【００６７】
フォーカシング群がフォーカス移動したときでも、像面へ向かう軸上主光線がほとんど移動しないようにするための条件は、以下のようにして求められる。簡単のために、前述した図３２に示す三角プリズムＰＲを像面に最も近いフォーカシング群とした場合を例に挙げ、その平行移動と回転移動により軸上射出光線が移動しないようにする場合を考える。この三角プリズムＰＲは、光路に沿って順に、入射面(第１面ｓ１)と、反射面(第２面ｓ２)と、射出面(第３面ｓ３)と、の各１面から成っている。なお、グローバル座標系の原点を所定の基準面とベースレイＢＲとの交点とし、ベースレイＢＲ方向にＺ軸を設定し、紙面の手前から向こう側へＸ軸を設定し、Ｚ軸とＸ軸で右手系を成す方向をＹ軸(Ｙ軸は紙面内にある。)と設定する。そして、説明を簡単にするため光学系はＹ−Ｚ面対称とする。
【００６８】
フォーカシングにおいて互いに異なる２つの撮影距離状態Ｆ１，Ｆ２を考える。図３２において、実線が撮影距離状態Ｆ１での位置を示し、破線が撮影距離状態Ｆ２での位置を示すものとする。図３２に示すように、各撮影距離状態Ｆ１，Ｆ２で三角プリズムＰＲ内を通過するベースレイＢＲの軌跡は異なる。そこで、この光学系のある位置、例えば、この三角プリズムＰＲへ入射する軸上光線上にグローバル座標系の原点を設定し、その座標系で説明する。
【００６９】
撮影距離状態Ｆ１の場合、第１面ｓ１への入射光線の方向余弦ベクトルをＱA1＝ＱA1(ｌA1，ｍA1，ｎA1)とし、第１面ｓ１からの射出光線の方向余弦ベクトルをＱdA1＝ＱdA1(ｌdA1，ｍdA1，ｎdA1)とする。第２面ｓ２，第３面ｓ３も同様に、入射光線の方向余弦ベクトルをそれぞれＱB1＝ＱB1(ｌB1，ｍB1，ｎB1)，ＱC1＝ＱC1(ｌC1，ｍC1，ｎC1)とし、射出光線の方向余弦ベクトルをそれぞれＱdB1＝ＱdB1(ｌdB1，ｍdB1，ｎdB1)，ＱdC1＝ＱdC1(ｌdC1，ｍdC1，ｎdC1)とする。明らかに、ＱdA1＝ＱB1，ＱdB1＝ＱC1である。第１面ｓ１〜第３面ｓ３とベースレイＢＲとの交点を、それぞれ(ｘA1，ｙA1，ｚA1),(ｘB1，ｙB1，ｚB1),(ｘC1，ｙC1，ｚC1)とする。第１面ｓ１〜第３面ｓ３とベースレイＢＲとの交点における単位法線ベクトルを、それぞれＥA1，ＥB1，ＥC1とする。また、第１面ｓ１の前後の媒質の屈折率をｎA，ｎAdとする。第２面ｓ２，第３面ｓ３についても同様に、屈折率をｎB，ｎBd；ｎC，ｎCdとする。なお、第２面ｓ２は反射面なので、ｎB＝ｎBd、更には、ｎB＝ｎAd，ｎC＝ｎAdである。撮影距離状態Ｆ２の場合、撮影距離状態Ｆ１の添え字１を２に変更する。
【００７０】
フォーカシング群(すなわち三角プリズムＰＲ)に入射する光線上の位置と入射光線ベクトルが分かっているので、第１面ｓ１とベースレイＢＲとの交点(ｘA1，ｙA1，ｚA1)を計算することができ、そこからＥA1が算出される。ＱdA1はｎA(ＥA1×ＱA1)＝ｎAd(ＥA1×ＱAd1)より求められる。順次、追跡することにより、第３面ｓ３とベースレイＢＲとの交点(ｘC1，ｙC1，ｚC1)とＱdC1を計算することができる。
【００７１】
撮影距離状態Ｆ１，Ｆ２の第３面ｓ３からの射出ベースレイＢＲは、Ｙ−Ｚ面が対称面であることから以下の式で表される。
・撮影距離状態Ｆ１の場合  …  (Ｙ−ｙC1)／(ｍdC1)＝(Ｚ−ｚC1)／(ｎdC1)
・撮影距離状態Ｆ２の場合  …  (Ｙ−ｙC2)／(ｍdC2)＝(Ｚ−ｚC2)／(ｎdC2)
【００７２】
２つの撮影距離状態Ｆ１，Ｆ２での２直線が一致すると、軸上光線の像面での位置と入射角度はフォーカシングにおいて変動しない。その条件は以下の式で表される。ただし、正確に一致している必要はなく、ある程度の差は許容される。
(ｍdC1)／(ｍdC2)＝(ｎdC1)／(ｎdC2)＝(ｙC1−ｙC2)／(ｚC1−ｚC2)
【００７３】
なお、図３２に示すようなフォーカシング群の焦点距離は、以下の式で表される。
Ｍ11＝(ｎAd)／(２・ＬB11・Ｖ11・Ｖ12・cosθBs−ＥA・ＬA11・Ｖ12−ＥC・ＬC11・Ｖ11)
Ｍ22＝(ｎAd・cosθCsd・cosθCs・cosθBs・cosθAsd・cosθAs)／(２・ＬB22・Ｖ21・Ｖ22−ＥA・ＬA22・Ｖ22・cosθBs−ＥC・ＬC22・Ｖ21・cosθBs)
【００７４】
ここで、各面でのベースレイＢＲとの交点におけるＸ方向とＹ方向の曲率をＬA11，ＬA22；ＬB11，ＬB22；ＬC11，ＬC22とする。また、各面でのベースレイＢＲの入射角と射出角をそれぞれ、θAs，θAsd；θBs，θBsd(＝θBs)；θCs，θCsdとする。ｎAdは屈折率であり、Ｖ11，Ｖ12，Ｖ21，Ｖ22，ＥA，ＥCは以下の通りである。ただし、フォーカシング群である三角プリズムＰＲ(図３０中のフォーカシング群ＧｒＢ)の前側座標系O_focの原点から、ベースレイＢＲと第１面ｓ１との交点までの距離をｄAとし、ベースレイＢＲと第１面ｓ１との交点からベースレイＢＲと第２面ｓ２との交点までの距離をｄBとし、ベースレイＢＲと第２面ｓ２との交点からベースレイＢＲと第３面ｓ３との交点までの距離をｄCとする。
Ｖ11＝(ＥA・ＬA11・ｄB−ｎAd)
Ｖ12＝(ＥC・ＬC11・ｄC＋ｎAd)
Ｖ21＝(ＥA・ＬA22・ｄB−ｎAd・cos2θAsd)
Ｖ22＝(ＥC・ＬC22・ｄC＋ｎAd・cos2θCs)
ＥA＝(ｎA・cosθAs−ｎAd・cosθAsd)
ＥC＝(ｎC・cosθCs−ｎCd・cosθCsd)
【００７５】
フォーカシング群の軸上入射主光線と軸上射出主光線とが平行である場合には、その方向にフォーカシング群を平行移動させることにより、軸上射出主光線の方向を一定にすることができる。しかしながら、その場合にはフォーカシング群が群間距離を変えることによる変倍のみが、フォーカシングに寄与することになる。それは、ベースレイの通過位置が変動せず、ベースレイと各光学面との交点位置が一定であり、さらに各光学面へのベースレイの入射角度が変化せず、結果として、そのフォーカシング群のパワーが変化しないからである。
【００７６】
非軸光学系では、フォーカシング群の平行移動と回転移動により、軸上射出光線を一定のまま群間距離を変え、更にはフォーカシング群のパワー(焦点距離)を変化させることにより、フォーカシングを行うことが可能である。つまり、フォーカシング群のパワーを変化させて変倍を稼いだ方が、フォーカシングにおける移動距離を減らすことが可能となる。移動距離が少ないと、それだけスペースが少なくて済むため、よりコンパクトな光学系の実現が可能となる。それに対し、フォーカシング群の軸上入射主光線と軸上射出主光線とを平行に配置すると、大きなスペースが必要となるため、光路の折りたたみ効果が少なくなり、コンパクトな光学系にならなくなる。また、そのような設計制約が発生する結果、設計での自由度が少なくなってしまう。したがって、よりコンパクトな光学系を実現するには、偏芯した反射面を少なくとも１面有するフォーカシング群として、軸上入射主光線と軸上射出主光線とが平行でないものを少なくとも１つ有することが望ましい。設計自由度の大幅な緩和と光路の折りたたみ効果により、光学系の薄型化を効果的に達成することが可能となる。
【００７７】
上記観点から、偏芯した反射面を少なくとも１面有するフォーカシング群として、以下の条件式(4)を満足するものを少なくとも１つ有することが望ましい。
5＜｜θpr｜＜175  …(4)
ただし、
θpr：フォーカシング群に対する軸上主光線のうち軸上入射主光線と軸上射出主光線とが成す角度(°)、
である。
【００７８】
この条件式(4)は、フォーカシング群における軸上主光線の方向の変化に関して好ましい条件範囲を規定しており、｜θpr｜の値は、光路の折りたたみの度合いを表している。条件式(4)の下限を越えて軸上主光線の変化が小さくなると、光路の折りたたみ効果が小さくなるため、コンパクトな光学系にならなくなる。逆に、条件式(4)の上限を越えて光路が反対の方向へ曲げられた場合でも、光路の折りたたみ効果が小さくなるため、コンパクトな光学系にならなくなる。特に非軸光学系においてフォーカシングを行う場合、フォーカシング群については折りたたみ効果が小さいと、その分、より大きなスペースが必要となるため、コンパクトな光学系の実現が困難になる。
【００７９】
以下の条件式(4a)を満足することが望ましく、条件式(4b)を満足することが更に望ましい。
20＜｜θpr｜＜160  …(4a)
30＜｜θpr｜＜150  …(4b)
これらの条件式(4a),(4b)は、上記条件式(4)が規定している条件範囲のなかでも、上記観点等に基づいた更に好ましい条件範囲を規定している。
【００８０】
偏芯した反射面を少なくとも１面有するフォーカシング群として、フォーカシング中の少なくとも１つの共役距離状態で以下の条件式(1)を満足するものを少なくとも１つ有することが望ましい。
｜φfoc／φall｜＜5.0  …(1)
ただし、
φfoc：フォーカシング群のパワー、
φall：全系のパワー、
である。
【００８１】
この条件式(1)は、フォーカシング群のパワーに関して好ましい条件範囲を規定している。フォーカシング群のパワーが強ければ、フォーカシングのために移動する距離を減らすことができるため、フォーカシングのためのスペースを小さくすることができ、その結果、光学系全体をコンパクトにすることができる。しかしながら、フォーカシング群のパワーが強すぎると、移動にともなうフォーカシング群による収差の変動が大きくなる。共役距離が異なることによる収差変動と、フォーカシング群の移動による収差変動と、のトータルが、性能の変動となるが、このとき、フォーカシング群の移動による変動が大きすぎると、光学系トータルの性能を確保することができなくなる。つまり、条件式(1)の条件範囲を外れると、光学系トータルの性能確保が難しくなる。
【００８２】
以下の条件式(1a)を満足することが更に望ましい。
｜φfoc／φall｜＜3.0  …(1a)
この条件式(1a)は、上記条件式(1)が規定している条件範囲のなかでも、上記観点等に基づいた更に好ましい条件範囲を規定している。
【００８３】
前述した非軸光学系のフォーカシング群は、平行移動と回転移動を行うため、フォーカシング群内のベースレイの通過経路が異なる。そのため、フォーカシング群のパワーが共役距離により異なる。前述したようにフォーカシング群の焦点距離を変えることにより、フォーカシング群の結像関係のＭ11，Ｍ22の値を変えることが可能となるため、フォーカシング群の移動量を小さくすることが可能となる。これにより、フォーカシング群の移動のためのスペースを小さくすることが可能となり、光学系の厚みをさらに薄く抑えることが可能となる。したがって、偏芯した反射面を少なくとも１面有するフォーカシング群として、フォーカシング中のパワーが一定でないものを少なくとも１つ有することが望ましい。焦点距離を変えながらフォーカシングを行うことにより、フォーカシング群の移動量を小さくできる、という大きな効果を得ることができる。
【００８４】
フォーカシング群において偏芯した反射面を少なくとも１面有するプリズム光学素子は、少なくとも１面の入射面と、前記少なくとも１面の偏芯した反射面と、少なくとも１面の射出面と、を有することが望ましい。共役距離が変わることにより、光学系で発生する収差が変動する。特に色収差の変動は反射面で補正することが不可能であるため、色収差の変動を補正するためには透過面が必要となる。透過面を２面用いることにより、色収差を互いに打ち消し合いながら、共役距離の変動による色収差の変動を良好に補正することが可能となる。また、このような構成は非常にシンプルであるため、フォーカシング群自体を小さく構成することが可能である。そのため、フォーカシング群の平行移動と回転移動が容易になり、光学系全体の厚みも薄くすることができる。
【００８５】
光学系は、入射面と、少なくとも１面の反射面と、射出面と、を有するプリズム光学素子を、少なくとも３つ有することが望ましい。さらには、前述した各実施の形態のように、プリズム光学素子を３つ有することが望ましい。高性能化を実現するためには、収差補正能力を高める必要がある。特に、画角の拡大，像高の拡大，長焦点距離化等に伴い、軸外収差が大きくなる。その補正のためには、光学面が多いほうが有利である。しかしながら、光学素子が増えるとコンパクトさが失われてしまう。コンパクトさを維持しながら収差補正能力を高めるには、プリズム光学素子を少なくとも３つ有することが好ましい。さらには、光学素子３つで光学系を構成すると、コンパクトでありながら高性能を実現することができる。
【００８６】
偏芯した反射面として、自由曲面又は非回転対称な面から成るものを少なくとも１面有することが望ましい。偏芯した反射面を用いると、光路の折りたたみ等の偏芯の効果により、より薄い光学系を実現することができる。しかしながら、偏芯しているために、偏芯による独特の収差が発生する。例えば、軸上でも非点収差が発生する。その収差補正は、光学面の曲率半径を水平方向と垂直方向とで異ならせることによって初めて可能となる。この状況は、周辺部分でも同様である。このような非回転対称な面から成る反射面としては、水平方向と垂直方向との曲率半径を任意に選択できる自由曲面が適している。したがって、高性能な光学系を実現するためには、自由曲面を用いることが望ましい。
【００８７】
偏芯した反射面を少なくとも１面有するフォーカシング群として、フォーカシング中の任意の共役距離状態s1，s2の組み合わせのうちの少なくとも１つで以下の条件式(2)を満足するものを少なくとも１つ有することが望ましい。
｜(φi_s2−φi_s1)／φi_s2×100｜＜25.0  …(2)
ただし、
φi_s1：共役距離状態s1におけるフォーカシング群のパワー、
φi_s2：共役距離状態s2におけるフォーカシング群のパワー、
である。
【００８８】
この条件式(2)は、フォーカシング時に平行移動と回転移動を行うフォーカシング群の、フォーカシングにおけるパワー変動に関して好ましい条件範囲を規定している。前述したフォーカシング方法では、フォーカシングを通してフォーカシング群のパワーが変動するため、フォーカシングによる移動量を小さくすることができる。さらに、そのパワーの変動により、異なる共役距離で変動する諸収差を補正することも可能となり、高性能化を達成することができる。しかしながら、フォーカシング群の収差変動が大きすぎると、異なる撮影距離で変動する収差がその補正以上に変動するため、性能が著しく低下してしまう。条件式(2)の条件範囲を外れると、異なる共役距離で変動する収差が補正過剰となるか、フォーカシング群の収差が大きくなりすぎるため、高性能化を達成することができなくなる。
【００８９】
以下の条件式(2a)を満足することが更に望ましい。
｜(φi_s2−φi_s1)／φi_s2×100｜＜15.0  …(2a)
この条件式(2a)は、上記条件式(2)が規定している条件範囲のなかでも、上記観点等に基づいた更に好ましい条件範囲を規定している。
【００９０】
前記光学系を構成する光学素子の少なくとも１つがプラスチック材料から形成されていることが望ましい。「プラスチック材料から形成されている」とは、プラスチック材料を母材としていることを言い、その表面に反射防止や表面硬度向上を目的としてコーティング処理を施した場合をも含むものとする。また、ここで言う「プラスチック材料」とは、特開２００５−５５８５２号公報で開示されている、プラスチック材料も含むものとする。特開２００５−５５８５２号公報で開示されているプラスチック材料は、通常のプラスチック材料に比べ、温度による屈折率変化が小さい材料である。特にこのような、温度による屈折率変化の小さいプラスチック材料を、ここでは「アサーマル樹脂」と呼ぶことにする。特開２００５−５５８５２号公報で開示されているプラスチック材料とは、具体的には、プラスチック材料中に最大長が３０ナノメートル以下の粒子(例えば、無機微粒子等)を分散させた素材を用いて成形したプラスチック材料であり、例えばアクリルに酸化ニオブ(Ｎｂ2Ｏ5)の微粒子を分散させたものである。
【００９１】
プラスチック材料を光学系に用いる利点は、軽量化，コストダウン，一体成型の容易さ等、多々ある。その反面、デメリットとしては、環境温度変化による屈折率変化が大きいことが挙げられる。この影響により、周囲温度が変化した際に、撮像レンズ全系の像点位置が変動してしまうという問題をかかえてしまう。これを補正するために、アサーマル樹脂を部分的又は全てのプラスチック材料として用いることが望ましい。そうすることにより、光学系の像点位置変化を小さく抑えることが可能となる。なお、特開２００５−５５８５２号公報では、プラスチック材料の例としてｄｎ／ｄｔ(ｎ：屈折率，ｔ：温度)の符号の異なる微粒子を分散させた例が示されているが、プラスチック材料のｄｎ／ｄｔに比べてｄｎ／ｄｔの絶対値が小さい微粒子を分散させれば、ｄｎ／ｄｔの符号が同符号であっても温度変化による屈折率変化は小さくなり、従来のプラスチック材料を用いる場合に比べて光学系の像点位置の変化量を小さくすることができる。ただし、プラスチック材料にはｄｎ／ｄｔの符号の異なる微粒子を分散させた方が、プラスチックに分散する微粒子の量を少なくすることができる。
【００９２】
また、前述した各実施の形態のように偏芯した反射面を有する光学系の場合、環境温度による屈折率変化が大きいと、非点隔差が増大するという問題が発生する。これを補正するためには、従来のパワー配分の調整だけでは限界があり、アサーマル樹脂を使う必要がある。各実施の形態のような偏芯光学系では、非点隔差を小さく保つことが高性能な光学系を実現するためには必要であり、特に、プリズム材料としてアサーマル樹脂を用いることが望ましい。
【００９３】
前述した特徴的なフォーカシング方法を実施するにあたり、撮像素子へ光学像を形成するような構成をとることが望ましい。前述した各実施の形態に係るフォーカシング方法は、撮像素子ＳＲの受光面上に物体の光学像を形成するための撮像光学系ＴＬに用いられている。そのように、前記光学系が撮像素子の受光面上に物体の光学像を形成するための撮像光学系であることが望ましい。ただし、前記フォーカシング方法は撮像光学系への適用に限るものではなく、あらゆる非軸光学系に適用できるものであることから、投影光学系，表示光学系等にも適用可能な方法である。
【００９４】
プリズム光学素子の反射面を形成する面には、反射する領域と透過する領域があることが望ましい。プリズム面を作製する場合、その全てを反射面にすると、エッジの部分で迷光が発生するという問題があり、また、プリズム光学素子を保持するための部分が確保できないという問題もある。反射する領域以外の光を透過させる構成にすれば、有効範囲だけを利用することができ、迷光対策において好ましい。また、その領域でプリズム保持も可能となるが、保持部で光をカット又は吸収する構成にすれば迷光対策になる。
【００９５】
プリズム光学素子の反射面を形成する面には、反射する領域と吸収する領域があることが望ましい。プリズム面を作製する場合、その全てを反射面にすると、エッジの部分で迷光が発生するという問題があり、また、プリズム光学素子を保持するための部分が確保できないという問題もある。反射する領域以外の光を吸収させる構成にすれば、有効範囲だけを利用することができ、迷光対策において好ましい。また、吸収される部分でプリズム保持も可能となる。
【００９６】
プリズム光学素子の反射面を形成する面には、反射する領域と遮光する領域があることが望ましい。プリズム面を作製する場合、その全てを反射面にすると、エッジの部分で迷光が発生するという問題があり、また、プリズム光学素子を保持するための部分が確保できないという問題もある。反射する領域以外の光を遮光する構成にすれば、有効範囲だけを利用することができ、迷光対策において好ましい。また、遮光される部分でプリズム保持も可能となる。
【００９７】
前記反射する領域には、反射コートを施していることが望ましい。反射する部分に反射コートを施すことにより、光を効率良く反射させることが可能となる。例えば、絞りを有する反射面を用いる場合には、絞りの有効径内にのみ反射コートを施すのが望ましい。これにより、絞り有効径以外の光をカットすることが可能となり、部品点数を増やすことなく、安価な構成をとることが可能となる。
【００９８】
前記吸収する領域又は遮光する領域が黒染により構成されていることが望ましい。黒染することにより、その領域の面の変形を防止することができる。また、その面を保持部や測定基準面とすれば高精度を保つことができる。
【００９９】
前記吸収する領域又は遮光する領域が粗研削により構成されていることが望ましい。面を粗くして光を散乱させる構成にすれば、有効径内のみの光を反射の対象にすることができる。また、粗研削では領域の変更を簡単に行うことが可能であり、安く加工できるというメリットもある。
【０１００】
前記吸収する領域又は遮光する領域が粗い面に加工されていることが望ましい。面を粗くして光を散乱させる構成にすれば、有効径内のみの光を反射の対象にすることができる。面を研磨又はプレスで作製する場合、研磨での仕上げは行われない。プレスでは金型のその部分を粗くしておけば、安く簡単に吸収領域又は遮光領域を形成することができる。
【０１０１】
前記吸収する領域又は遮光する領域が、光を散乱させるピラミッドの微小形状を有することが望ましい。吸収する領域又は遮光する領域に、光を散乱させるピラミッドの微小形状を作製することにより、その部分で光を減衰させることが可能となるため、特に迷光の対策になる。もし、その部分を透過にしておくと、鏡筒等で反射したり乱反射したりした光が迷光の原因となるため、その部分の形状を工夫したり、部品を追加したりする必要が生じる。それに比べれば、光を散乱させるピラミッドの微小形状はプレス等で安く加工できる。
【０１０２】
前記吸収する領域又は遮光する領域が、有機溶剤での化学反応により構成されたものであることが望ましい。吸収する領域又は遮光する領域の形成に有機溶剤を用い、化学反応を起こさせてその部分の性質を変えてやることが可能である。その部分に塗布したり、溶剤に浸しておくだけの処理で済むため、一度に大量の生産が可能となる。
【０１０３】
前記反射する領域が鏡面状態にされていることが望ましい。光を有効に反射させるためには、反射部分を鏡面状態にするのが好ましい。特に、リップル等の微小な凹凸があると、反射効率が落ちたり迷光が発生したりする原因になるため、鏡面状態にすることが望ましい。
【０１０４】
反射面にはアルミ蒸着のコーティングが施されていることが望ましい。アルミ蒸着のコーティングは反射率が高く、安価に加工できるというメリットがある。また、反射面にはアルミ増反射のコーティングが施されていることが望ましい。アルミ増反射のコーティングは、通常のアルミ蒸着コーティングよりも高い反射率が得られるように形成することができる。
【０１０５】
さらに、高い反射率を得るには、反射面に誘電体のコーティングが施されていることが望ましい。誘電体のコーティングは反射率が非常に高い。特に複数の反射面が存在する場合には、光量の損失を低く抑える必要があり、その場合には誘電体のコートが有効である。また、反射面には銀蒸着のコーティングが施されていることが望ましい。銀蒸着のコーティングは反射率が非常に高い。特に複数の反射面が存在する場合には、光量の損失を低く抑える必要があり、その場合には銀蒸着のコートが有効である。
【０１０６】
プリズム光学素子の反射面は、アルミ蒸着コーティングを施した面、アルミ増反射コーティングを施した面、誘電体コーティングを施した面、銀蒸着コーティングを施した面、が混在していることが望ましい。１つのプリズム光学素子に複数の反射面がある場合、反射面の全てにアルミ蒸着コーティングを施せば安価に製作できるが、反射率の低下を招くおそれがある。また、全ての反射面に増反射コーティング，銀蒸着コーティング，誘電体コーティングを施すと、反射率の低下は抑えられるが高価になってしまう。反射率の低下を少なくしながらより安価にするためには、４者をバランスさせるのが好ましい。また、４者のうち、２つ又は３つを選択してもよい。
【０１０７】
少なくとも１面の反射面の反射率は８０％以上であることが望ましい。全系の反射率は、各反射面の反射率の掛け算となる。全体の反射率を上げるためには個々の反射率を高くする必要があるが、それとともに反射率の低い面が１面あれば、全体の反射率の低下は大きくなってしまう。そのため、少なくとも１面の反射率は８０％以上であることが必要となる。
【０１０８】
プリズム光学素子の透過面又は反射面のうちの少なくとも１面に、長波長域を吸収するコーティングが施されていることが望ましい。光学系の波長に依存した結像性能に対し、長波長領域の光は有害である。そのため、長波長領域を吸収するコートが施された平行平板が撮像素子の前に配置されたりする。しかしながら、プリズム光学素子の反射面でそのような長波長領域の光を吸収してしまえば、有害光がなくなる。したがって、長波長領域を吸収する部材は不要となり、コストダウンが可能となる。
【０１０９】
プリズム光学素子はプラスチック材料から成ることが望ましい。プラスチック材料を用いればプリズム光学素子を安価に構成することができ、また、プレス加工により大量に作ることも可能である。別の観点から言えば、プリズム光学素子はガラス材料から成ることが望ましい。プリズム光学素子をガラス材料で構成する場合、屈折率の高い材料を選択することができるので、その分、薄型化・高性能化に有利である。
【０１１０】
なお、各実施の形態の撮像光学系ＴＬには、入射光線を屈折作用により偏向させる屈折型レンズ面(つまり、異なる屈折率を有する媒質同士の界面で偏向が行われるタイプのレンズ面)が用いられているが、使用可能なレンズ面はこれに限らない。例えば、回折作用により入射光線を偏向させる回折型レンズ面，屈折作用と回折作用との組み合わせで入射光線を偏向させる屈折・回折ハイブリッド型レンズ面等を用いてもよい。
【０１１１】
各実施の形態の撮像光学系ＴＬは、画像入力機能付きデジタル機器(例えばカメラ付き携帯電話)用の薄型撮像光学系としての使用に適しており、これを撮像素子ＳＲ等と組み合わせることにより、被写体の映像を光学的に取り込んで電気的な信号として出力する撮像装置を構成することができる。撮像装置は、被写体の静止画撮影や動画撮影に用いられるカメラの主たる構成要素を成す光学装置であり、例えば、物体(被写体)側から順に、物体の光学像を形成する撮像光学系と、撮像光学系により形成された光学像を電気的な信号に変換する撮像素子と、で構成される。
【０１１２】
撮像素子としては、例えば複数の画素を有するＣＣＤ(Charge Coupled Device)やＣＭＯＳ(Complementary Metal Oxide Semiconductor)センサー等の固体撮像素子が用いられ、撮像光学系により形成された光学像は撮像素子により電気的な信号に変換される。撮像素子で生成した信号は、必要に応じて所定のデジタル画像処理や画像圧縮処理等が施されて、デジタル映像信号としてメモリー(半導体メモリー，光ディスク等)に記録されたり、場合によってはケーブルを介したり赤外線信号に変換されたりして他の機器に伝送される。なお、撮像光学系と撮像素子との間には、光学フィルター(光学的ローパスフィルター，赤外カットフィルター等)が必要に応じて配置される。
【０１１３】
カメラの例としては、デジタルカメラ；ビデオカメラ；監視カメラ；車載カメラ；テレビ電話用カメラ；ドアホーン用カメラ；パーソナルコンピュータ，モバイルコンピュータ，携帯電話，携帯情報端末，これらの周辺機器(マウス，スキャナー，プリンター等)，その他のデジタル機器等に内蔵又は外付けされるカメラが挙げられる。これらの例から分かるように、撮像装置を用いることによりカメラを構成することができるだけでなく、各種機器に撮像装置を搭載することによりカメラ機能を付加することも可能である。また、カメラ機能を実現する際には、必要に応じた形態で撮像装置を使用することが可能である。例えば、ユニット化した撮像装置をカメラボディに対して着脱自在又は回動自在に構成してもよく、ユニット化した撮像装置を携帯情報機器(携帯電話，ＰＤＡ等)に対して着脱自在又は回動自在に構成してもよい。
【０１１４】
以上の説明から分かるように、上述した各実施の形態や後述する各実施例には以下の構成が含まれている。その構成により、良好な光学性能と低コストで薄型・コンパクトな撮像装置を実現することができ、カメラ，デジタル機器等への適用により、その高性能化，高機能化，低コスト化及びコンパクト化に寄与することができる。
【０１１５】
(U1)  光学像を形成する撮像光学系と、その撮像光学系により形成された光学像を電気的な信号に変換する撮像素子と、を備えた撮像装置であって、前記撮像光学系が偏芯した反射面を少なくとも１面有するプリズム光学素子を少なくとも１つ有し、そのうちの少なくとも１つのプリズム光学素子を含む群をフォーカシング群として最も像面側に有し、そのフォーカシング群の平行移動と回転移動により、軸上の結像位置と軸上主光線の像面への入射角度とをほぼ一定に保ちながら、像面全体の位置をほぼ一定にするためのフォーカシングを行うことを特徴とする撮像装置。
【０１１６】
(U2)  光学像を形成する撮像光学系と、その撮像光学系により形成された光学像を電気的な信号に変換する撮像素子と、を備えた撮像装置であって、前記撮像光学系が複数の光学面と絞りを有し、前記複数の光学面のうちの少なくとも１面として偏芯した反射面を有し、前記偏芯した反射面を少なくとも１面有するプリズム光学素子を少なくとも１つ有し、そのうちの少なくとも１つのプリズム光学素子を含む群をフォーカシング群として最も像面側に有し、そのフォーカシング群の平行移動と回転移動により、軸上の結像位置と軸上主光線の像面への入射角度とをほぼ一定に保ちながら、像面全体の位置をほぼ一定にするためのフォーカシングを行うことを特徴とする撮像装置。
【０１１７】
(U3)  前記フォーカシング群が、前記光学面として偏芯した光学面のみを有するプリズム光学素子、前記光学面として前記偏芯した反射面とその他の光学面とを有するプリズム光学素子、それらの組み合わせ、又はそれらのうちの少なくとも１つと他の光学素子との組み合わせから成ることを特徴とする上記(U1)又は(U2)記載の撮像装置。
【０１１８】
(U4)  前記撮像光学系が前記フォーカシング群を最も像面側に複数有し、前記平行移動と回転移動を個々のフォーカシング群について行うことを特徴とする上記(U1)〜(U3)のいずれか１項に記載の撮像装置。
【０１１９】
(U5)  前記フォーカシング群として、軸上入射主光線と軸上射出主光線とが平行でないものを少なくとも１つ有することを特徴とする上記(U1)〜(U4)のいずれか１項に記載の撮像装置。
【０１２０】
(U6)  前記撮像光学系が前記フォーカシング群の物体側に固定群を有し、前記条件式(3A)及び(3B)、又はその条件範囲を狭くした条件式を満足することを特徴とする上記(U1)〜(U5)のいずれか１項に記載の撮像装置。
【０１２１】
(U7)  前記フォーカシング群として、フォーカシング中のパワーが一定でないものを少なくとも１つ有することを特徴とする上記(U1)〜(U6)のいずれか１項に記載の撮像装置。
【０１２２】
(U8)  前記フォーカシング群として、フォーカシング中の少なくとも１つの共役距離状態で前記条件式(1)又は(1a)を満足するものを少なくとも１つ有することを特徴とする上記(U1)〜(U7)のいずれか１項に記載の撮像装置。
【０１２３】
(U9)  前記フォーカシング群として、フォーカシング中の任意の共役距離状態s1，s2の組み合わせのうちの少なくとも１つで前記条件式(2)又は(2a)を満足するものを少なくとも１つ有することを特徴とする上記(U1)〜(U8)のいずれか１項に記載の撮像装置。
【０１２４】
(U10)  前記フォーカシング群として、前記条件式(4)及びその条件範囲を狭くした条件式のうちの少なくとも１つを満足するものを少なくとも１つ有することを特徴とする上記(U1)〜(U9)のいずれか１項に記載の撮像装置。
【０１２５】
(U11)  前記条件式(5)及びその条件範囲を狭くした条件式のうちの少なくとも１つを満足することを特徴とする上記(U1)〜(U10)のいずれか１項に記載の撮像装置。
【０１２６】
(U12)  前記偏芯した反射面として、自由曲面から成るものを少なくとも１面有することを特徴とする上記(U1)〜(U11)のいずれか１項に記載の撮像装置。
【０１２７】
(U13)  前記偏芯した反射面として、非回転対称な面から成るものを少なくとも１面有することを特徴とする上記(U1)〜(U12)のいずれか１項に記載の撮像装置。
【０１２８】
(U14)  前記撮像光学系を構成する光学素子の少なくとも１つがプラスチック材料から形成されていることを特徴とする上記(U1)〜(U13)のいずれか１項に記載の撮像装置。
【０１２９】
(U15)  前記プラスチック材料がアサーマル樹脂であることを特徴とする上記(U14)記載の撮像装置。
【０１３０】
(C1)  上記(U1)〜(U15)のいずれか１項に記載の撮像装置を備え、被写体の静止画撮影，動画撮影のうちの少なくとも一方に用いられることを特徴とするカメラ。
【０１３１】
(C2)  デジタルカメラ；ビデオカメラ；又は携帯電話，携帯情報端末，パーソナルコンピュータ，モバイルコンピュータ，若しくはこれらの周辺機器に内蔵又は外付けされるカメラであることを特徴とする上記(C1)記載のカメラ。
【０１３２】
(D1)  上記(U1)〜(U15)のいずれか１項に記載の撮像装置を備えることにより、被写体の静止画撮影，動画撮影のうちの少なくとも一方の機能が付加されたことを特徴とするデジタル機器。
【０１３３】
(D2)  携帯電話，携帯情報端末，パーソナルコンピュータ，モバイルコンピュータ，又はこれらの周辺機器であることを特徴とする上記(D1)記載のデジタル機器。
【０１３４】
撮像装置では、撮像光学系によって拡大側の被写体から縮小側の撮像素子への縮小投影が行われるが、撮像素子の代わりに２次元画像を表示する表示素子(例えば液晶表示素子)を用い、撮像光学系を投影光学系として使用すれば、縮小側の画像表示面から拡大側のスクリーン面への拡大投影を行う画像投影装置(すなわちプロジェクター)を構成することができる。したがって、上述した各実施の形態や後述する各実施例には、以下の構成が含まれている。つまり、各実施の形態のフォーカシング方法は、撮像光学系に限らず、投影光学系にも好適に用いることが可能である。
【０１３５】
(T1)  ２次元画像を表示する表示素子と、その表示画像をフォーカシング可能に拡大投影する投影光学系と、を備えた画像投影装置であって、前記投影光学系が偏芯した反射面を少なくとも１面有するプリズム光学素子を少なくとも１つ有し、そのうちの少なくとも１つのプリズム光学素子を含む群をフォーカシング群として最も像面側に有し、そのフォーカシング群の平行移動と回転移動により、軸上の結像位置と軸上主光線の像面への入射角度とをほぼ一定に保ちながら、像面全体の位置をほぼ一定にするためのフォーカシングを行うことを特徴とする画像投影装置。
【０１３６】
(T2)  ２次元画像を表示する表示素子と、その表示画像をフォーカシング可能に拡大投影する投影光学系と、を備えた画像投影装置であって、前記投影光学系が複数の光学面を有し、前記複数の光学面のうちの少なくとも１面として偏芯した反射面を有し、前記偏芯した反射面を少なくとも１面有するプリズム光学素子を少なくとも１つ有し、そのうちの少なくとも１つのプリズム光学素子を含む群をフォーカシング群として最も像面側に有し、そのフォーカシング群の平行移動と回転移動により、軸上の結像位置と軸上主光線の像面への入射角度とをほぼ一定に保ちながら、像面全体の位置をほぼ一定にするためのフォーカシングを行うことを特徴とする画像投影装置。
【０１３７】
(T3)  前記フォーカシング群が、前記光学面として偏芯した光学面のみを有するプリズム光学素子、前記光学面として前記偏芯した反射面とその他の光学面とを有するプリズム光学素子、それらの組み合わせ、又はそれらのうちの少なくとも１つと他の光学素子との組み合わせから成ることを特徴とする上記(T1)又は(T2)記載の画像投影装置。
【０１３８】
(T4)  前記投影光学系が前記フォーカシング群を最も像面側に複数有し、前記平行移動と回転移動を個々のフォーカシング群について行うことを特徴とする上記(T1)〜(T3)のいずれか１項に記載の画像投影装置。
【０１３９】
(T5)  前記フォーカシング群として、軸上入射主光線と軸上射出主光線とが平行でないものを少なくとも１つ有することを特徴とする上記(T1)〜(T4)のいずれか１項に記載の画像投影装置。
【０１４０】
(T6)  前記投影光学系が前記フォーカシング群の物体側に固定群を有し、前記条件式(3A)及び(3B)、又はその条件範囲を狭くした条件式を満足することを特徴とする上記(T1)〜(T5)のいずれか１項に記載の画像投影装置。
【０１４１】
(T7)  前記フォーカシング群として、フォーカシング中のパワーが一定でないものを少なくとも１つ有することを特徴とする上記(T1)〜(T6)のいずれか１項に記載の画像投影装置。
【０１４２】
(T8)  前記フォーカシング群として、フォーカシング中の少なくとも１つの共役距離状態で前記条件式(1)又は(1a)を満足するものを少なくとも１つ有することを特徴とする上記(T1)〜(T7)のいずれか１項に記載の画像投影装置。
【０１４３】
(T9)  前記フォーカシング群として、フォーカシング中の任意の共役距離状態s1，s2の組み合わせのうちの少なくとも１つで前記条件式(2)又は(2a)を満足するものを少なくとも１つ有することを特徴とする上記(T1)〜(T8)のいずれか１項に記載の画像投影装置。
【０１４４】
(T10)  前記フォーカシング群として、前記条件式(4)及びその条件範囲を狭くした条件式のうちの少なくとも１つを満足するものを少なくとも１つ有することを特徴とする上記(T1)〜(T9)のいずれか１項に記載の画像投影装置。
【０１４５】
(T11)  前記条件式(5)及びその条件範囲を狭くした条件式のうちの少なくとも１つを満足することを特徴とする上記(T1)〜(T10)のいずれか１項に記載の画像投影装置。
【０１４６】
(T12)  前記偏芯した反射面として、自由曲面から成るものを少なくとも１面有することを特徴とする上記(T1)〜(T11)のいずれか１項に記載の画像投影装置。
【０１４７】
(T13)  前記偏芯した反射面として、非回転対称な面から成るものを少なくとも１面有することを特徴とする上記(T1)〜(T12)のいずれか１項に記載の画像投影装置。
【０１４８】
(T14)  前記投影光学系を構成する光学素子の少なくとも１つがプラスチック材料から形成されていることを特徴とする上記(T1)〜(T13)のいずれか１項に記載の画像投影装置。
【０１４９】
(T15)  前記プラスチック材料がアサーマル樹脂であることを特徴とする上記(T14)記載の画像投影装置。
【実施例】
【０１５０】
以下、本発明に係るフォーカシング方法を、それを用いた撮像光学系のコンストラクションデータ等を挙げて更に具体的に説明する。ここで挙げる実施例１，２は、前述した第１，第２の実施の形態にそれぞれ対応する数値実施例であり、第１，第２の実施の形態を表す光学構成図(図１，図２；図１５，図１６)は、対応する実施例１，２の光学構成，光路等をそれぞれ示している。
【０１５１】
表１〜表１２に、実施例１，２のコンストラクションデータを示す。表１，表７中の基本的な光学構成(ｉ：面番号)において、Ｓｉ(ｉ＝１，２，３，．．．)は物体側から数えてｉ番目の面(Ｓ１は基準面としてのダミー面に相当し、Ｓ２は撮像光学系の最も物体側の面に相当する。)、ｒｉ(ｉ＝１，２，３，．．．)は面Ｓｉの曲率半径(単位：ｍｍ)、Ｎｉ(ｉ＝１，２，３，．．．),νｉ(ｉ＝１，２，３，．．．)は物体側から数えてｉ番目の面Ｓｉと(ｉ＋１)番目の面Ｓｉ＋１との間に位置する光学材料のｄ線に対する屈折率(Ｎｄ),アッベ数(νｄ)をそれぞれ示している。
【０１５２】
実施例１，２おける各面Ｓｉの配置は、表２，表８中の面頂点座標と回転角度の各面データでそれぞれ特定される。面データは右手系の直交座標系(Ｘ，Ｙ，Ｚ)に基づいて表現されており、その直交座標系(Ｘ，Ｙ，Ｚ)では、物体中心と像面中心を通る主光線をベースレイとし、ベースレイと第１面Ｓ１(ただし、実施例１の第３プリズムＰ３に関してはその入射面Ｓ１０を面Ｓ１１，Ｓ１２の座標基準とし、実施例２の第３プリズムＰ３に関してはその入射面Ｓ９を面Ｓ１０，Ｓ１１の座標基準とする。)との交点を原点(０，０，０)とし、Ｚ軸方向をベースレイが物体中心から第１面Ｓ１の交点を通る方向とし、その向きを正としている。各光路図(図１，図２；図１５，図１６)において、Ｘ軸方向は紙面に対して垂直方向であり(紙面の裏面方向を正とし、紙面に向かって反時計回りをＸ回転の正とする。)、Ｙ軸方向はＸ軸とＺ軸により右手系をなす方向(紙面と平行)である。各面の面頂点位置は面頂点座標(Ｘ座標，Ｙ座標，Ｚ座標)で表されており(単位：ｍｍ)、その面の面頂点を中心とするＸ，Ｙ，Ｚの各方向の軸回り回転角度(Ｘ回転，Ｙ回転，Ｚ回転)で面の傾きが表されている(単位：°)。なお、Ｘ軸，Ｙ軸の正方向に対して反時計回りがそれぞれＸ回転，Ｙ回転の回転角度の正方向であり、Ｚ軸の正方向に対して時計回りがＺ回転の正方向である。
【０１５３】
表２，表８に示すデータは、フォーカスポジションＰＯＳ１(物体距離＝∞)での各面Ｓｉの配置を示している。第３プリズムＰ３の平行移動と回転移動によりフォーカシングを行うと、第１面Ｓ１を座標基準とする第１０面Ｓ１０(実施例１)と第９面Ｓ９(実施例２)の配置が変化する。表３，表９に、各フォーカスポジションＰＯＳ１〜ＰＯＳ６での物体距離(物体面から第１面Ｓ１までの距離，単位：ｍｍ)を示すとともに、各フォーカスポジションＰＯＳ１〜ＰＯＳ６での第１０面Ｓ１０(実施例１)と第９面Ｓ９(実施例２)の面頂点座標と回転角度のデータを示す。フォーカシングにおいて、平行移動はＹ−Ｚ平面に沿って行われるためＸ＝０であり、回転移動はＸ回転で行われるためＹ回転，Ｚ回転の回転角度＝０である。また、像面Ｓ１３(実施例１)，Ｓ１２(実施例２)の位置もフォーカシングにおいて変化しない(つまり、像面位置は物体距離に関わらず一定である。)。
【０１５４】
表１，表７中、＊印が付された面Ｓｉは自由曲面であり、その面頂点を原点とするローカルな直交座標系(ｘ，ｙ，ｚ)を用いた以下の式(FS)で定義される。表４〜表６，表１０〜表１２に、各実施例の自由曲面データを示す。ただし、表記の無い項の係数は０であり(すべての自由曲面についてｋ＝０である。)、すべてのデータに関してＥ−ｎ＝×１０-nである。
【０１５５】
【数１】
2008046564.tif 000003
…(FS)
【０１５６】
ただし、式(FS)中、
ｚ：高さｈの位置でのｚ軸方向の変位量(面頂点基準)、
ｈ：ｚ軸に対して垂直な方向の高さ(ｈ2＝ｘ2＋ｙ2)、
ｃ：近軸曲率(＝１／曲率半径)、
ｋ：円錐係数、
Ｃj：係数、
であり、自由曲面項は以下の式(FC)で表される。
【０１５７】
【数２】
2008046564.tif 000004
…(FC)
【０１５８】
表１３に、各実施例の全系の焦点距離(単位：ｍｍ)，Ｆナンバー(Ｆｎｏ)，半画角(単位：°)，物体距離変動(単位：ｍｍ)及び絞りＳＴの半径(単位：ｍｍ)を示す。また、表１４に各実施例のフォーカシング群(すなわち第３プリズムＰ３)の焦点距離を各フォーカスポジションＰＯＳ１〜ＰＯＳ６について示し、表１５に各実施例の条件式対応値等を示す。なお、表１３〜表１５において、Ｘ方向は水平方向(画面の長辺方向)、Ｙ方向は垂直方向(画面の短辺方向)であり、表１５中の条件式(2),(3A),(3B)の対応値はフォーカスポジションＰＯＳ１を基準としている。
【０１５９】
図３〜図１４，図１７〜図２８の(Ａ)〜(Ｆ)は実施例１，２の横収差図であり、各フォーカスポジションＰＯＳ１〜ＰＯＳ６におけるＸ方向，Ｙ方向の横収差Δｘ，Δｙを示している。また各横収差図は、各図中のローカルな直交座標系(ｘ，ｙ)で表されている像高(単位：ｍｍ)でのｄ線に対する横収差Δｘ，Δｙ(単位：ｍｍ)を示している。なお、収差図のスケールは、縦軸が−０．０２〜０．０２、横軸が−１．０〜１．０である。
【０１６０】
【表１】
2008046564.tif 000005
【０１６１】
【表２】
2008046564.tif 000006
【０１６２】
【表３】
2008046564.tif 000007
【０１６３】
【表４】
2008046564.tif 000008
【０１６４】
【表５】
2008046564.tif 000009
【０１６５】
【表６】
2008046564.tif 000010
【０１６６】
【表７】
2008046564.tif 000011
【０１６７】
【表８】
2008046564.tif 000012
【０１６８】
【表９】
2008046564.tif 000013
【０１６９】
【表１０】
2008046564.tif 000014
【０１７０】
【表１１】
2008046564.tif 000015
【０１７１】
【表１２】
2008046564.tif 000016
【０１７２】
【表１３】
2008046564.tif 000017
【０１７３】
【表１４】
2008046564.tif 000018
【０１７４】
【表１５】
2008046564.tif 000019
【図面の簡単な説明】
【０１７５】
【図１】第１の実施の形態(実施例１)の光学構成図。
【図２】第１の実施の形態(実施例１)のフォーカスポジションＰＯＳ１，ＰＯＳ４，ＰＯＳ６での光学配置等を示す光学構成図。
【図３】実施例１のＰＯＳ１でのＸ方向のΔｘを示す横収差図。
【図４】実施例１のＰＯＳ４でのＸ方向のΔｘを示す横収差図。
【図５】実施例１のＰＯＳ６でのＸ方向のΔｘを示す横収差図。
【図６】実施例１のＰＯＳ１でのＸ方向のΔｙを示す横収差図。
【図７】実施例１のＰＯＳ４でのＸ方向のΔｙを示す横収差図。
【図８】実施例１のＰＯＳ６でのＸ方向のΔｙを示す横収差図。
【図９】実施例１のＰＯＳ１でのＹ方向のΔｘを示す横収差図。
【図１０】実施例１のＰＯＳ４でのＹ方向のΔｘを示す横収差図。
【図１１】実施例１のＰＯＳ６でのＹ方向のΔｘを示す横収差図。
【図１２】実施例１のＰＯＳ１でのＹ方向のΔｙを示す横収差図。
【図１３】実施例１のＰＯＳ４でのＹ方向のΔｙを示す横収差図。
【図１４】実施例１のＰＯＳ６でのＹ方向のΔｙを示す横収差図。
【図１５】第２の実施の形態(実施例２)の光学構成図。
【図１６】第２の実施の形態(実施例２)のフォーカスポジションＰＯＳ１，ＰＯＳ４，ＰＯＳ６での光学配置等を示す光学構成図。
【図１７】実施例２のＰＯＳ１でのＸ方向のΔｘを示す横収差図。
【図１８】実施例２のＰＯＳ４でのＸ方向のΔｘを示す横収差図。
【図１９】実施例２のＰＯＳ６でのＸ方向のΔｘを示す横収差図。
【図２０】実施例２のＰＯＳ１でのＸ方向のΔｙを示す横収差図。
【図２１】実施例２のＰＯＳ４でのＸ方向のΔｙを示す横収差図。
【図２２】実施例２のＰＯＳ６でのＸ方向のΔｙを示す横収差図。
【図２３】実施例２のＰＯＳ１でのＹ方向のΔｘを示す横収差図。
【図２４】実施例２のＰＯＳ４でのＹ方向のΔｘを示す横収差図。
【図２５】実施例２のＰＯＳ６でのＹ方向のΔｘを示す横収差図。
【図２６】実施例２のＰＯＳ１でのＹ方向のΔｙを示す横収差図。
【図２７】実施例２のＰＯＳ４でのＹ方向のΔｙを示す横収差図。
【図２８】実施例２のＰＯＳ６でのＹ方向のΔｙを示す横収差図。
【図２９】共軸光学系のリアフォーカスを説明するための模式図。
【図３０】非軸光学系のリアフォーカスを説明するための模式図。
【図３１】図３０に示す非軸光学系において偏芯した反射面を持つ三角プリズムの平行移動によるベースレイの動きを説明するための模式図。
【図３２】図３０に示す非軸光学系において偏芯した反射面を持つ三角プリズムの平行移動及び回転移動によるベースレイの動きを説明するための模式図。
【符号の説明】
【０１７６】
ＴＬ    撮像光学系
Ｐ１    第１プリズム(プリズム光学素子)
ＳＴ    絞り
Ｐ２    第２プリズム(プリズム光学素子)
Ｐ３    第３プリズム(プリズム光学素子，フォーカシング群)
Ｓ１〜Ｓ１３    第１面〜第１３面
ＢＲ    ベースレイ
ＳＲ    撮像素子(像面)
【図１】
2008046564.tif 000020
【図２】
2008046564.tif 000021
【図３】
2008046564.tif 000022
【図４】
2008046564.tif 000023
【図５】
2008046564.tif 000024
【図６】
2008046564.tif 000025
【図７】
2008046564.tif 000026
【図８】
2008046564.tif 000027
【図９】
2008046564.tif 000028
【図１０】
2008046564.tif 000029
【図１１】
2008046564.tif 000030
【図１２】
2008046564.tif 000031
【図１３】
2008046564.tif 000032
【図１４】
2008046564.tif 000033
【図１５】
2008046564.tif 000034
【図１６】
2008046564.tif 000035
【図１７】
2008046564.tif 000036
【図１８】
2008046564.tif 000037
【図１９】
2008046564.tif 000038
【図２０】
2008046564.tif 000039
【図２１】
2008046564.tif 000040
【図２２】
2008046564.tif 000041
【図２３】
2008046564.tif 000042
【図２４】
2008046564.tif 000043
【図２５】
2008046564.tif 000044
【図２６】
2008046564.tif 000045
【図２７】
2008046564.tif 000046
【図２８】
2008046564.tif 000047
【図２９】
2008046564.tif 000048
【図３０】
2008046564.tif 000049
【図３１】
2008046564.tif 000050
【図３２】
2008046564.tif 000051